(57)【要約】  本発明はリソース構成方法および装置、コンピュータ記憶媒体を提供して、残りの最小システム情報制御リソース集合および関連する同期情報ブロックが時分割多重モードを採用する場合、残りの最小システム情報制御リソース集合の構成がより柔軟になり、より多くのアプリケーションシナリオに適用できる。前記リソース構成方法は、残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するステップと、前記ＲＭＳＩ ＣＯＲＥＳＥＴおよび関連するＳＳ Ｂｌｏｃｋ的構成パラメータを決定するステップとを備え、各ＳＳ Ｂｌｏｃｋバースト集合内のすべてのＳＳ Ｂｌｏｃｋに関連する残りの最小システム情報制御リソース集合の構成パラメータは、同じである。
2021503234.tif 000002
【特許請求の範囲】
【請求項１】
残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するステップと、
前記ＲＭＳＩ ＣＯＲＥＳＥＴおよび関連するＳＳ Ｂｌｏｃｋ的構成パラメータを決定するステップとを備え、
各ＳＳ Ｂｌｏｃｋバースト集合内のすべてのＳＳ Ｂｌｏｃｋに関連する残りの最小システム情報制御リソース集合の構成パラメータは、同じであることを特徴とするリソース構成方法。
【請求項２】
前記ＲＭＳＩ ＣＯＲＥＳＥＴの構成パラメータは、
前記ＲＭＳＩ ＣＯＲＥＳＥＴによって占有される帯域幅と、
前記ＲＭＳＩ ＣＯＲＥＳＥＴの時間領域位置と、
前記ＲＭＳＩ ＣＯＲＥＳＥＴの周波数領域位置と、
前記ＲＭＳＩ ＣＯＲＥＳＥＴによって占有された連連続または不連続の時間領域シンボルの数とのうちの１つまたは組み合わせを含むことを特徴とする請求項１に記載のリソース構成方法。
【請求項３】
前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴおよび関連するＳＳ Ｂｌｏｃｋの周波数領域位置は、次の関係のいずれかを満たす：
前記構成されたＲＭＳＩ ＣＯＲＥＳＥＴおよび関連するＳＳ Ｂｌｏｃｋは、中心周波数領域位置を共有し、
前記構成されたＲＭＳＩ ＣＯＲＥＳＥＴ全体の周波数領域位置は、関連するＳＳ Ｂｌｏｃｋの周波数領域位置の下にあり、
前記構成されたＲＭＳＩ ＣＯＲＥＳＥＴ全体の周波数領域位置は、関連するＳＳ Ｂｌｏｃｋの周波数領域位置の上にあることを特徴とする請求項２に記載のリソース構成方法。
【請求項４】
前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴの周波数領域位置は、関連するＳＳ Ｂｌｏｃｋの周波数領域位置に関する相対オフセット値であることを特徴とする請求項２に記載のリソース構成方法。
【請求項５】
前記相対オフセット値は所定値であることを特徴とする請求項４に記載のリソース構成方法。
【請求項６】
前記相対オフセット値は、異なる周波数帯域または周波数範囲における異なる値であることを特徴とする請求項４に記載のリソース構成方法。
【請求項７】
前記相対オフセット値がｃで表され、ｃの値が次のとおりであり、それぞれ次の異なる情報を示すために使用される：
ｃ  ＝ ０の場合、ＲＭＳＩ ＣＯＲＥＳＥＴと関連するＳＳ Ｂｌｏｃｋの中心周波数が揃っていることを示し、
ｃ  ＝ １の場合、ＲＭＳＩ ＣＯＲＥＳＥＴと関連するＳＳ Ｂｌｏｃｋの周波数領域の開始位置が揃っていることを示し、
ｃ  ＝ ２の場合、ＲＭＳＩ ＣＯＲＥＳＥＴと関連するＳＳ Ｂｌｏｃｋの周波数領域の終了位置が揃っていることを示し、
ｃ  ＝ ３の場合、ＲＭＳＩ ＣＯＲＥＳＥＴの周波数領域の終了位置と端末の最小キャリア帯域幅の終了位置が揃っているが、関連するＳＳ Ｂｌｏｃｋの周波数領域の開始位置と端末の最小キャリア帯域幅の開始位置が揃っていることを示し、
ｃ  ＝ ４の場合、ＲＭＳＩ ＣＯＲＥＳＥＴの周波数領域の開始位置と端末の最小キャリア帯域幅の開始位置が揃っているが、関連するＳＳ Ｂｌｏｃｋの周波数領域の終了位置と端末の最小キャリア帯域幅の終了位置が揃っていることを示し、
ここで、前記端末の最小キャリア帯域幅は事前に設定されることを特徴とする請求項４に記載のリソース構成方法。
【請求項８】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，１５}ｋＨｚであれば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、
構成２：ＲＭＳＩ ＣＯＲＥＳＥＴの時間領域位置は、関連するＳＳ Ｂｌｏｃｋの時間領域位置の後ろにあり、
ＲＭＳＩ ＣＯＲＥＳＥＴは、１つの時間領域シンボルを占有し、かつ、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、
構成４：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から−１だけオフセットされ、
ここで、ＳＳＢはＳＳ Ｂｌｏｃｋであり、Ｉｎｄｅｘはインデックスであることを特徴とする請求項２に記載のリソース構成方法。
【請求項９】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，３０}ｋＨｚであれｒば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、
構成２：ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であることを特徴とする請求項２に記載のリソース構成方法。
【請求項１０】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{３０, ３０}または{１２０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
構成２：ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−Ｂだけオフセットされ、ここで、ＳＳＢは、ＳＳ Ｂｌｏｃｋであり、
構成３：ｍｏｄ（ＳＳＢＩｎｄｅｘ,４）={１,３}が満たされると、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であり、Ｉｎｄｅｘはインデックスであることを特徴とする請求項２に記載のリソース構成方法。
【請求項１１】
前記ＲＭＳＩ ＣＯＲＥＳＥＴの構成パラメータが前記ＲＭＳＩ ＣＯＲＥＳＥＴの時間領域位置を含む場合あり、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−１だけオフセットされ、ここで、ＳＳＢは、ＳＳ Ｂｌｏｃｋであり、
ｍｏｄ（ＳＳＢ Ｉｎｄｅｘ,４）={１,３}が満たされると、ＲＭＳＩ ＣＯＲＥＳＥＴの時間領域位置相は、関連するＳＳ Ｂｌｏｃｋの時間領域位置から＋１だけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−２だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から−５だけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から＋５だけオフセットされ、
ここで、Ｉｎｄｅｘはインデックスであることを特徴とする請求項２に記載のリソース構成方法。
【請求項１２】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,１}が満たされると、ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされ、
ｍｏｄ（ＳＳＢ Ｉｎｄｅｘ,４）={２,３}が満たされると、ＲＭＳＩ ＣＯＲＥＳＥＴの時間領域位置は、関連するＳＳ Ｂｌｏｃｋの時間領域位置から＋４または＋３つの１２０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされ、
構成３： ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ＳＳＢはＳＳ Ｂｌｏｃｋであり、Ｉｎｄｅｘはインデックスであることを特徴とする請求項２に記載のリソース構成方法。
【請求項１３】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）=ｎ={０,１}が満たされると、ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされ、
ｍｏｄ（ＳＳＢ Ｉｎｄｅｘ,４）=ｎ={２,３}が満たされると、ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされ、
ここで、ＳＳＢはＳＳ Ｂｌｏｃｋであり、Ｉｎｄｅｘはインデックスであることを特徴とする請求項２に記載のリソース構成方法。
【請求項１４】
前記ＲＭＳＩ ＣＯＲＥＳＥＴおよび関連するＳＳ Ｂｌｏｃｋ的構成パラメータを決定することは、同じまたは異なるＳＳ Ｂｌｏｃｋサブキャリア間隔（ＳＣＳ）およびＲＭＳＩ ＣＯＲＥＳＥＴ ＳＣＳの構成情况の場合、ＳＳ Ｂｌｏｃｋが実際に送信されないと、ＳＳ Ｂｌｏｃｋが実際に送信されない時間領域位置は、ＲＭＳＩ ＣＯＲＥＳＥＴに対して構成されことを含むことを特徴とする請求項１に記載のリソース構成方法。
【請求項１５】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}または{２４０,６０}ｋＨｚであれば、８つのＳＳブロックごとに１つのＳＳ Ｂｌｏｃｋ位置がＲＭＳＩ ＣＯＲＥＳＥＴの時間領域位置であることを特徴とする請求項１４に記載のリソース構成方法。
【請求項１６】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成を採用し：
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、ＲＭＳＩ ＣＯＲＥＳＥＴによって占有される時間領域シンボルの数は、Ｂ={１,２}個の時間領域シンボルであり、
ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域だけオフセットされ
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされ、
ここで、ＳＳＢはＳＳ Ｂｌｏｃｋであり、Ｉｎｄｅｘはインデックスであり、ｎは所定値であることを特徴とする請求項１５に記載のリソース構成方法。
【請求項１７】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成を採用し：
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、ＲＭＳＩ ＣＯＲＥＳＥＴによって占有される時間領域シンボルの数は、Ｂ={１}時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされ、
ここで、ＳＳＢはＳＳ Ｂｌｏｃｋであり、Ｉｎｄｅｘはインデックスであることを特徴とする請求項１５に記載のリソース構成方法。
【請求項１８】
前記ＲＭＳＩ ＣＯＲＥＳＥＴの構成パラメータは、前記ＲＭＳＩ ＣＯＲＥＳＥＴによって占有される物理リソースブロック（ＰＲＢ）の総数を含み、前記ＰＲＢの数は離散的な候補集合のリストであることを特徴とする請求項１に記載のリソース構成方法。
【請求項１９】
前記離散的な候補集合は{４８,７２,９６}であることを特徴とする請求項１８に記載のリソース構成方法。
【請求項２０】
前記ＲＭＳＩ ＣＯＲＥＳＥＴの構成パラメータが、ＲＭＳＩ ＣＯＲＥＳＥＴによって占有される帯域幅とＲＭＳＩ ＣＯＲＥＳＥＴによって占有される連続時間領域シンボルの数の組み合わせを含む場合、前記組み合わせは、
{４８ ＰＲＢｓ, １つの時間領域シンボル}と、
{７２ ＰＲＢｓ, １つの時間領域シンボル}と、
{９６ ＰＲＢｓ, １つの時間領域シンボル}と、
{２４ＰＲＢｓ, ２つの連続時間領域シンボル}と、
{３６ＰＲＢｓ, ２つの連続時間領域シンボル}と、
{４８ＰＲＢｓ, ２つの連続時間領域シンボル}と、
{１６ＰＲＢｓ, ３つの連続時間領域シンボル}と、
{２４ＰＲＢｓ, ３つの連続時間領域シンボル}と、
{３２ＰＲＢｓ, ３つの連続時間領域シンボル}と、
{１２ＰＲＢｓ, ４つの連続時間領域シンボル}と、
{１８ＰＲＢｓ, ４つの連続時間領域シンボル}と、
{２４ＰＲＢｓ, ４つの連続時間領域シンボル}とのうちのいずれかであり、
前記ＰＲＢｓは、複数の物理リソースブロックを表すことを特徴とする請求項２に記載のリソース構成方法。
【請求項２１】
プログラム命令を格納するように構成されたメモリと、
前記メモリに格納されているプログラム命令を呼び出し、取得したプログラムに従って、以下のプロセスを実行するように構成されたプロセッサとを備え、
前記プロセッサは、残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定し、
前記ＲＭＳＩ ＣＯＲＥＳＥＴおよび関連するＳＳ Ｂｌｏｃｋ的構成パラメータを決定し、各ＳＳ Ｂｌｏｃｋバースト集合内のすべてのＳＳ Ｂｌｏｃｋに関連する残りの最小システム情報制御リソース集合の構成パラメータは、同じであることを特徴とするリソース構成装置。
【請求項２２】
前記ＲＭＳＩ ＣＯＲＥＳＥＴの構成パラメータは、前記ＲＭＳＩ ＣＯＲＥＳＥＴによって占有される帯域幅；
前記ＲＭＳＩ ＣＯＲＥＳＥＴの時間領域位置と、
前記ＲＭＳＩ ＣＯＲＥＳＥＴの周波数領域位置と、
前記ＲＭＳＩ ＣＯＲＥＳＥＴによって占有された連連続または不連続の時間領域シンボルの数とのうちの１つまたは組み合わせを含むことを特徴とする請求項２１に記載のリソース構成装置。
【請求項２３】
前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴおよび関連するＳＳ Ｂｌｏｃｋの周波数領域位置は、次の関係のいずれかを満たす：
前記構成されたＲＭＳＩ ＣＯＲＥＳＥＴおよび関連するＳＳ Ｂｌｏｃｋは、中心周波数領域位置を共有し、
前記構成されたＲＭＳＩ ＣＯＲＥＳＥＴ全体の周波数領域位置は、関連するＳＳ Ｂｌｏｃｋの周波数領域位置の下にあり、
前記構成されたＲＭＳＩ ＣＯＲＥＳＥＴ全体の周波数領域位置は、関連するＳＳ Ｂｌｏｃｋの周波数領域位置の上にあることを特徴とする請求項２２に記載のリソース構成装置。
【請求項２４】
前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴの周波数領域位置は、関連するＳＳ Ｂｌｏｃｋの周波数領域位置に関する相対オフセット値であることを特徴とする請求項２２に記載のリソース構成装置。
【請求項２５】
前記相対オフセット値は所定値であることを特徴とする請求項２４に記載のリソース構成装置。
【請求項２６】
前記相対オフセット値は、異なる周波数帯域または周波数範囲における異なる値であることを特徴とする請求項２４に記載のリソース構成装置。
【請求項２７】
前記相対オフセット値がｃで表され、ｃの値が次のとおりであり、それぞれ次の異なる情報を示すために使用される：
ｃ  ＝ ０の場合、ＲＭＳＩ ＣＯＲＥＳＥＴと関連するＳＳ Ｂｌｏｃｋの中心周波数が揃っていることを示し、
ｃ  ＝ １の場合、ＲＭＳＩ ＣＯＲＥＳＥＴと関連するＳＳ Ｂｌｏｃｋの周波数領域の開始位置が揃っていることを示し、
ｃ  ＝ ２の場合、ＲＭＳＩ ＣＯＲＥＳＥＴと関連するＳＳ Ｂｌｏｃｋの周波数領域の終了位置が揃っていることを示し、
ｃ  ＝ ３の場合、ＲＭＳＩ ＣＯＲＥＳＥＴの周波数領域の終了位置と端末の最小キャリア帯域幅の終了位置が揃っているが、関連するＳＳ Ｂｌｏｃｋの周波数領域の開始位置と端末の最小キャリア帯域幅の開始位置が揃っていることを示し、
ｃ  ＝ ４の場合、ＲＭＳＩ ＣＯＲＥＳＥＴの周波数領域の開始位置と端末の最小キャリア帯域幅の開始位置が揃っているが、関連するＳＳ Ｂｌｏｃｋの周波数領域の終了位置と端末の最小キャリア帯域幅の終了位置が揃っていることを示し、
ここで、前記端末の最小キャリア帯域幅は事前に設定されることを特徴とする請求項２４に記載のリソース構成装置。
【請求項２８】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，１５}ｋＨｚであれば、前記ＲＭＳＩ ＣＯＲＥＳＥＴの時間領域位置は、次の構成のいずれかを採用し：
構成１： ＲＭＳＩ ＣＯＲＥＳＥＴの時間領域位置は、関連するＳＳ Ｂｌｏｃｋの時間領域位置に先行し、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、
構成２： ＲＭＳＩ ＣＯＲＥＳＥＴの時間領域位置は、関連するＳＳ Ｂｌｏｃｋの時間領域位置の後ろにあり、
ＲＭＳＩ ＣＯＲＥＳＥＴは、１つの時間領域シンボルを占有し、かつ、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、ＲＭＳＩ ＣＯＲＥＳＥＴの時間領域位置相は、関連するＳＳ Ｂｌｏｃｋの時間領域位置から＋１だけオフセットされ、;または、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、
構成４：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から−１だけオフセットされ、
ここで、ＳＳＢはＳＳ Ｂｌｏｃｋであり、Ｉｎｄｅｘはインデックスであることを特徴とする請求項２２に記載のリソース構成装置。
【請求項２９】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，３０}ｋＨｚであれｒば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、
構成２：ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であることを特徴とする請求項２２に記載のリソース構成装置。
【請求項３０】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{３０, ３０}または{１２０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
構成２：ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−Ｂだけオフセットされ、ここで、ＳＳＢは、ＳＳ Ｂｌｏｃｋであり、
構成３：ｍｏｄ（ＳＳＢＩｎｄｅｘ,４）={１,３}が満たされると、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であり、Ｉｎｄｅｘはインデックスであることを特徴とする請求項２２に記載のリソース構成装置。
【請求項３１】
前記ＲＭＳＩ ＣＯＲＥＳＥＴの構成パラメータが前記ＲＭＳＩ ＣＯＲＥＳＥＴの時間領域位置を含む場合あり、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−１だけオフセットされ、ここで、ＳＳＢは、ＳＳ Ｂｌｏｃｋであり、
ｍｏｄ（ＳＳＢ Ｉｎｄｅｘ,４）={１,３}が満たされると、ＲＭＳＩ ＣＯＲＥＳＥＴの時間領域位置相は、関連するＳＳ Ｂｌｏｃｋの時間領域位置から＋１だけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−２だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から−５だけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から＋５だけオフセットされ、
ここで、Ｉｎｄｅｘはインデックスであることを特徴とする請求項２２に記載のリソース構成装置。
【請求項３２】
ことを特徴とする請求項２２に記載のリソース構成装置。
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,１}が満たされると、ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされ、
ｍｏｄ（ＳＳＢ Ｉｎｄｅｘ,４）={２,３}が満たされると、ＲＭＳＩ ＣＯＲＥＳＥＴの時間領域位置は、関連するＳＳ Ｂｌｏｃｋの時間領域位置から＋４または＋３つの１２０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされ、
構成３： ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ＳＳＢはＳＳ Ｂｌｏｃｋであり、Ｉｎｄｅｘはインデックスであることを特徴とする請求項２２に記載のリソース構成装置。
【請求項３３】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）=ｎ={０,１}が満たされると、ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされ、
ｍｏｄ（ＳＳＢ Ｉｎｄｅｘ,４）=ｎ＝{２,３}が満たされると、ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされ、
ここで、ＳＳＢはＳＳ Ｂｌｏｃｋであり、Ｉｎｄｅｘはインデックスであることを特徴とする請求項２２に記載のリソース構成装置。
【請求項３４】
前記ＲＭＳＩ ＣＯＲＥＳＥＴおよび関連するＳＳ Ｂｌｏｃｋ的構成パラメータを決定することは、同じまたは異なるＳＳ Ｂｌｏｃｋサブキャリア間隔（ＳＣＳ）およびＲＭＳＩ ＣＯＲＥＳＥＴ ＳＣＳの構成情况の場合、ＳＳ Ｂｌｏｃｋが実際に送信されないと、ＳＳ Ｂｌｏｃｋが実際に送信されない時間領域位置は、ＲＭＳＩ ＣＯＲＥＳＥＴに対して構成されることを特徴とする請求項２１に記載のリソース構成装置。
【請求項３５】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}または{２４０,６０}ｋＨｚであれば、８つのＳＳブロックごとに１つのＳＳ Ｂｌｏｃｋ位置がＲＭＳＩ ＣＯＲＥＳＥＴの時間領域位置であることを特徴とする請求項３４に記載のリソース構成装置。
【請求項３６】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成を採用し：
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、ＲＭＳＩ ＣＯＲＥＳＥＴによって占有される時間領域シンボルの数は、Ｂ={１,２}個の時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域だけオフセットされ
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされ、
ここで、ＳＳＢはＳＳ Ｂｌｏｃｋであり、Ｉｎｄｅｘはインデックスであり、ｎは所定値であることを特徴とする請求項３５に記載のリソース構成装置。
【請求項３７】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成を採用し：
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、ＲＭＳＩ ＣＯＲＥＳＥＴによって占有される時間領域シンボルの数は、Ｂ={１}時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされ、
ここで、ＳＳＢはＳＳ Ｂｌｏｃｋであり、Ｉｎｄｅｘはインデックスであることを特徴とする請求項３５に記載のリソース構成装置。
【請求項３８】
前記ＲＭＳＩ ＣＯＲＥＳＥＴの構成パラメータは、前記ＲＭＳＩ ＣＯＲＥＳＥＴによって占有される物理リソースブロック（ＰＲＢ）の総数を含み、前記ＰＲＢの数は離散的な候補集合のリストであることを特徴とする請求項２１に記載のリソース構成装置。
【請求項３９】
前記離散的な候補集合は{４８,７２,９６}であることを特徴とする請求項３８に記載のリソース構成装置。
【請求項４０】
前記ＲＭＳＩ ＣＯＲＥＳＥＴの構成パラメータが、ＲＭＳＩ ＣＯＲＥＳＥＴによって占有される帯域幅とＲＭＳＩ ＣＯＲＥＳＥＴによって占有される連続時間領域シンボルの数の組み合わせを含む場合、前記組み合わせは、
{４８ ＰＲＢｓ, １つの時間領域シンボル}と、
{７２ ＰＲＢｓ, １つの時間領域シンボル}と、
{９６ ＰＲＢｓ, １つの時間領域シンボル}と、
{２４ＰＲＢｓ, ２つの連続時間領域シンボル}と、
{３６ＰＲＢｓ, ２つの連続時間領域シンボル}と、
{４８ＰＲＢｓ, ２つの連続時間領域シンボル}と、
{１６ＰＲＢｓ, ３つの連続時間領域シンボル}と、
{２４ＰＲＢｓ, ３つの連続時間領域シンボル}と、
{３２ＰＲＢｓ, ３つの連続時間領域シンボル}と、
{１２ＰＲＢｓ, ４つの連続時間領域シンボル}と、
{１８ＰＲＢｓ, ４つの連続時間領域シンボル}と、
{２４ＰＲＢｓ, ４つの連続時間領域シンボル}と、のいずれかであり、
前記ＰＲＢｓは、複数の物理リソースブロックを表すことを特徴とする請求項２２に記載のリソース構成装置。
【請求項４１】
残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するように構成された第１のユニットと、
前記ＲＭＳＩ ＣＯＲＥＳＥＴおよび関連するＳＳ Ｂｌｏｃｋ的構成パラメータを決定するように構成された第２のユニットとを備え、
各ＳＳ Ｂｌｏｃｋバースト集合内のすべてのＳＳ Ｂｌｏｃｋに関連する残りの最小システム情報制御リソース集合の構成パラメータは、同じであることを特徴とするリソース構成装置。
【請求項４２】
コンピュータに請求項１から請求項２０のいずれか一項に記載の方法を実行させるように構成されたコンピュータ実行可能命令を記憶することを特徴とする、コンピュータ記憶媒体。
【発明の詳細な説明】
【技術分野】
【０００１】
関連出願の相互参照
本出願は、２０１７年１１月１４日に中国特許局に提出し、出願番号が２０１７１１１２３０１８.０であり、発明名称が「リソース構成方法および装置、コンピュータ記憶媒体」との中国特許出願を基礎とする優先権を主張し、その開示の総てをここに取り込む。
【０００２】
本発明は、通信技術分野に関し、特にリソース構成方法および装置、コンピュータ記憶媒体に関する。
【背景技術】
【０００３】
最小システム情報（Ｍｉｎｉｍｕｍ ｓｙｓｔｅｍ ｉｎｆｏｒｍａｔｉｏｎ,  ＭＳＩ）は、端末が初期アクセスを行うために必要なシステム情報であり、最小システム情報の一部は、新しい無線（ＮＲ）−物理放送チャネル（Ｐｈｙｓｉｃａｌ  Ｂｒｏａｄｃａｓｔｉｎｇ  Ｃｈａｎｎｅｌ，  ＰＢＣＨ）を通じて送信され、略してＮＲ−ＰＢＣＨと呼ばれ、残りの最小システム情報（Ｒｅｍａｉｎｉｎｇ ｍｉｎｉｍｕｍ ｓｙｓｔｅｍ ｉｎｆｏｒｍａｔｉｏｎ, ＲＭＳＩ）はＮＲ−ＰＤＳＣＨを通じて送信されの制御下でデータを送受信するように構成される。さらに、ＲＭＳＩを送信するＮＲ−ＰＤＳＣＨは、ＮＲ−ＰＤＣＣＨによってスケジュールされる。このＮＲ−ＰＤＣＣＨ（ＲＭＳＩを搬送するためのＮＲ−ＰＤＳＣＨをスケジュールするために使用される）は、ＲＭＳＩ制御リソース集合合（Ｃｏｎｔｒｏｌ Ｒｅｓｏｕｒｃｅ ｓｅｔ,  ＣＯＲＥＳＥＴ）の構成情報によって示される。ここで、ＲＭＳＩ ＣＯＲＥＳＥＴの構成情報は、ＮＲ−ＰＢＣＨを通じて送信される。現在の規格で説明されているように、ＲＭＳＩ ＣＯＲＥＳＥＴの構成情報の最大ビット幅は８ビットである。
【０００４】
各ＲＭＳＩ ＣＯＲＥＳＥＴは、１つの同期ブロック（ＳＳ Ｂｌｏｃｋ）に関連付けられている。ＲＭＳＩ ＣＯＲＥＳＥＴとＳＳブロックには２つの多重化モード、つまり周波数分割多重化（Ｆｒｅｑｕｅｎｃｙ Ｄｉｖｉｓｉｏｎ Ｍｕｌｔｉｐｌｅｘｉｎｇ，ＦＤＭ）と時分割多重化（Ｔｉｍｅ Ｄｉｖｉｓｉｏｎ Ｍｕｌｔｉｐｌｅｘｉｎｇ，ＴＤＭ）がある。ここで、ＳＳブロックに関連するＲＭＳＩ ＣＯＲＥＳＥＴは時分割多重化中に時間領域の異なるシンボルで送信される。システムが周波数分割多重モードをサポートできない場合は、時分割多重モードをサポートする必要がある。
【発明の概要】
【発明が解決しようとする課題】
【０００５】
本発明の実施形態は、リソース構成方法および装置、ならびにコンピュータ記憶媒体を提供して、残りの最小システム情報制御リソース集合および関連する同期情報ブロックが時分割多重モードを使用するとき、残りの最小システム情報制御リソース集合の構成がより柔軟になり、より多くのアプリケーションシナリオに適用できるようにする。
【課題を解決するための手段】
【０００６】
本発明の実施形態によって提供されるリソース構成方法は、
残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するステップと、
前記ＲＭＳＩ ＣＯＲＥＳＥＴおよび関連するＳＳ Ｂｌｏｃｋ的構成パラメータを決定するステップとを備え、
各ＳＳ Ｂｌｏｃｋバースト集合内のすべてのＳＳ Ｂｌｏｃｋに関連する残りの最小システム情報制御リソース集合の構成パラメータは、同じである。
【０００７】
当該方法では、残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定し、前記ＲＭＳＩ ＣＯＲＥＳＥＴおよび関連するＳＳ Ｂｌｏｃｋ的構成パラメータを決定し、ここで、各ＳＳ Ｂｌｏｃｋバースト集合内のすべてのＳＳ Ｂｌｏｃｋに関連する残りの最小システム情報制御リソース集合の構成パラメータは、同じである。それにより、残りの最小システム情報制御リソース集合および関連する同期情報ブロックが時分割多重モードを使用するとき、残りの最小システム情報制御リソース集合の構成がより柔軟になり、より多くのアプリケーションシナリオに適用できる。
【０００８】
任意選択で、前記ＲＭＳＩ ＣＯＲＥＳＥＴの構成パラメータは、
ＲＭＳＩ ＣＯＲＥＳＥＴによって占有される帯域幅と、
前記ＲＭＳＩ ＣＯＲＥＳＥＴの時間領域位置と、
前記ＲＭＳＩ ＣＯＲＥＳＥＴの周波数領域位置と、
ＲＭＳＩ ＣＯＲＥＳＥＴによって占有された連連続または不連続の時間領域シンボルの数とのうちの１つまたは組み合わせを含む。
【０００９】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴおよび関連するＳＳ Ｂｌｏｃｋの周波数領域位置は、次の関係のいずれかを満たす：
前記構成されたＲＭＳＩ ＣＯＲＥＳＥＴおよび関連するＳＳ Ｂｌｏｃｋは、中心周波数領域位置を共有し、
前記構成されたＲＭＳＩ ＣＯＲＥＳＥＴ全体の周波数領域位置は、関連するＳＳ Ｂｌｏｃｋの周波数領域位置の下にあり、
前記構成されたＲＭＳＩ ＣＯＲＥＳＥＴ全体の周波数領域位置は、関連するＳＳ Ｂｌｏｃｋの周波数領域位置の上にある。
【００１０】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴの周波数領域位置は、関連するＳＳ Ｂｌｏｃｋの周波数領域位置に関する相対オフセット値である。
【００１１】
任意選択で、前記相対オフセット値は所定値である。
任意選択で、前記相対オフセット値は、異なる周波数帯域または周波数範囲における異なる値である。
【００１２】
任意選択で、前記相対オフセット値がｃで表され、ｃの値が次のとおりであり、それぞれ次の異なる情報を示すために使用される：
ｃ  ＝ ０の場合、ＲＭＳＩ ＣＯＲＥＳＥＴと関連するＳＳ Ｂｌｏｃｋの中心周波数が揃っていることを示し、
ｃ  ＝ １の場合、ＲＭＳＩ ＣＯＲＥＳＥＴと関連するＳＳ Ｂｌｏｃｋの周波数領域の開始位置が揃っていることを示し、
ｃ  ＝ ２の場合、ＲＭＳＩ ＣＯＲＥＳＥＴと関連するＳＳ Ｂｌｏｃｋの周波数領域の終了位置が揃っていることを示し、
ｃ  ＝ ３の場合、ＲＭＳＩ ＣＯＲＥＳＥＴの周波数領域の終了位置と端末の最小キャリア帯域幅の終了位置が揃っているが、関連するＳＳ Ｂｌｏｃｋの周波数領域の開始位置と端末の最小キャリア帯域幅の開始位置が揃っていることを示し、
ｃ  ＝ ４の場合、ＲＭＳＩ ＣＯＲＥＳＥＴの周波数領域の開始位置と端末の最小キャリア帯域幅の開始位置が揃っているが、関連するＳＳ Ｂｌｏｃｋの周波数領域の終了位置と端末の最小キャリア帯域幅の終了位置が揃っていることを示し、
ここで、前記端末の最小キャリア帯域幅は事前に設定される。
【００１３】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，１５}ｋＨｚであれば、前記ＲＭＳＩ ＣＯＲＥＳＥＴの時間領域位置は、次の構成のいずれかを採用し：
構成１： ＲＭＳＩ ＣＯＲＥＳＥＴの時間領域位置は、関連するＳＳ Ｂｌｏｃｋの時間領域位置に先行し、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、
構成２： ＲＭＳＩ ＣＯＲＥＳＥＴの時間領域位置は、関連するＳＳ Ｂｌｏｃｋの時間領域位置の後ろにあり、
ＲＭＳＩ ＣＯＲＥＳＥＴは、１つの時間領域シンボルを占有し、かつ、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、ＲＭＳＩ ＣＯＲＥＳＥＴの時間領域位置相は、関連するＳＳ Ｂｌｏｃｋの時間領域位置から＋１だけオフセットされ、;または、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、
構成４：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から−１だけオフセットされ、
ここで、ＳＳＢはＳＳ Ｂｌｏｃｋであり、Ｉｎｄｅｘはインデックスである。
【００１４】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，３０}ｋＨｚであれｒば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、
構成２：ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数である。
【００１５】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{３０, ３０}または{１２０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
構成２：ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−Ｂだけオフセットされ、ここで、ＳＳＢは、ＳＳ Ｂｌｏｃｋであり、
構成３：ｍｏｄ（ＳＳＢＩｎｄｅｘ,４）={１,３}が満たされると、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であり、Ｉｎｄｅｘはインデックスである。
【００１６】
任意選択で、前記ＲＭＳＩ ＣＯＲＥＳＥＴの構成パラメータが前記ＲＭＳＩ ＣＯＲＥＳＥＴの時間領域位置を含む場合あり、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−１だけオフセットされ、ここで、ＳＳＢは、ＳＳ Ｂｌｏｃｋであり、
ｍｏｄ（ＳＳＢ Ｉｎｄｅｘ,４）={１,３}が満たされると、ＲＭＳＩ ＣＯＲＥＳＥＴの時間領域位置相は、関連するＳＳ Ｂｌｏｃｋの時間領域位置から＋１だけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−２だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から−５だけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から＋５だけオフセットされ、
ここで、Ｉｎｄｅｘはインデックスである。
【００１７】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,１}が満たされると、ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされ、
ｍｏｄ（ＳＳＢ Ｉｎｄｅｘ,４）={２,３}が満たされると、ＲＭＳＩ ＣＯＲＥＳＥＴの時間領域位置は、関連するＳＳ Ｂｌｏｃｋの時間領域位置から＋４または＋３つの１２０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされ、
構成３： ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ＳＳＢはＳＳ Ｂｌｏｃｋであり、Ｉｎｄｅｘはインデックスである。
【００１８】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）=ｎ={０,１}が満たされると、ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされ、
ｍｏｄ（ＳＳＢ Ｉｎｄｅｘ,４）=ｎ={２,３}が満たされると、ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされ、
ここで、ＳＳＢはＳＳ Ｂｌｏｃｋであり、Ｉｎｄｅｘはインデックスである。
【００１９】
任意選択で、前記ＲＭＳＩ ＣＯＲＥＳＥＴおよび関連するＳＳ Ｂｌｏｃｋ的構成パラメータを決定することは、同じまたは異なるＳＳ Ｂｌｏｃｋサブキャリア間隔（ＳＣＳ）およびＲＭＳＩ ＣＯＲＥＳＥＴ ＳＣＳの構成情况の場合、ＳＳ Ｂｌｏｃｋが実際に送信されないと、ＳＳ Ｂｌｏｃｋが実際に送信されない時間領域位置は、ＲＭＳＩ ＣＯＲＥＳＥＴに対して構成され、。
【００２０】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}または{２４０,６０}ｋＨｚであれば、８つのＳＳブロックごとに１つのＳＳ Ｂｌｏｃｋ位置がＲＭＳＩ ＣＯＲＥＳＥＴの時間領域位置である。
【００２１】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成を採用し：
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、ＲＭＳＩ ＣＯＲＥＳＥＴによって占有される時間領域シンボルの数は、Ｂ={１,２}個の時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域だけオフセットされ
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされ、
ここで、ＳＳＢはＳＳ Ｂｌｏｃｋであり、Ｉｎｄｅｘはインデックスであり、ｎは所定値である。
【００２２】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成を採用し：
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、ＲＭＳＩ ＣＯＲＥＳＥＴによって占有される時間領域シンボルの数は、Ｂ={１}時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされ、
ここで、ＳＳＢはＳＳ Ｂｌｏｃｋであり、Ｉｎｄｅｘはインデックスである。
【００２３】
任意選択で、前記ＲＭＳＩ ＣＯＲＥＳＥＴの構成パラメータは、前記ＲＭＳＩ ＣＯＲＥＳＥＴによって占有される物理リソースブロック（ＰＲＢ）の総数を含み、前記ＰＲＢの数は離散的な候補集合のリストである。
【００２４】
任意選択で、前記離散的な候補集合は{４８,７２,９６}である。
任意選択で、前記ＲＭＳＩ ＣＯＲＥＳＥＴの構成パラメータが、ＲＭＳＩ ＣＯＲＥＳＥＴによって占有される帯域幅とＲＭＳＩ ＣＯＲＥＳＥＴによって占有される連続時間領域シンボルの数の組み合わせを含む場合、前記組み合わせは具体的には次のいずれかであり、
{４８ ＰＲＢｓ, １つの時間領域シンボル}と、
{７２ ＰＲＢｓ, １つの時間領域シンボル}と、
{９６ ＰＲＢｓ, １つの時間領域シンボル}と、
{２４ＰＲＢｓ, ２つの連続時間領域シンボル}と、
{３６ＰＲＢｓ, ２つの連続時間領域シンボル}と、
{４８ＰＲＢｓ, ２つの連続時間領域シンボル}と、
{１６ＰＲＢｓ, ３つの連続時間領域シンボル}と、
{２４ＰＲＢｓ, ３つの連続時間領域シンボル}と、
{３２ＰＲＢｓ, ３つの連続時間領域シンボル}と、
{１２ＰＲＢｓ, ４つの連続時間領域シンボル}と、
{１８ＰＲＢｓ, ４つの連続時間領域シンボル}と、
{２４ＰＲＢｓ, ４つの連続時間領域シンボル}とのうちのいずれかであり、
前記ＰＲＢｓは、複数の物理リソースブロックを表す。
【００２５】
本発明の実施形態によって提供されるリソース構成装置は、
プログラム命令を格納するように構成されたメモリと、
前記メモリに格納されているプログラム命令を呼び出し、取得したプログラムに従って、以下のプロセスを実行するように構成されたプロセッサとを備え、
前記プロセッサは、残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定し、
前記ＲＭＳＩ ＣＯＲＥＳＥＴおよび関連するＳＳ Ｂｌｏｃｋ的構成パラメータを決定し、ここで、各ＳＳ Ｂｌｏｃｋバースト集合内のすべてのＳＳ Ｂｌｏｃｋに関連する残りの最小システム情報制御リソース集合の構成パラメータは、同じである。
【００２６】
任意選択で、前記ＲＭＳＩ ＣＯＲＥＳＥＴの構成パラメータは、
ＲＭＳＩ ＣＯＲＥＳＥＴによって占有される帯域幅と、
前記ＲＭＳＩ ＣＯＲＥＳＥＴの時間領域位置と、
前記ＲＭＳＩ ＣＯＲＥＳＥＴの周波数領域位置と、
ＲＭＳＩ ＣＯＲＥＳＥＴによって占有された連連続または不連続の時間領域シンボルの数とのうちの１つまたは組み合わせを含む。
【００２７】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴおよび関連するＳＳ Ｂｌｏｃｋの周波数領域位置は、次の関係のいずれかを満たす：
前記構成されたＲＭＳＩ ＣＯＲＥＳＥＴおよび関連するＳＳ Ｂｌｏｃｋは、中心周波数領域位置を共有し、
前記構成されたＲＭＳＩ ＣＯＲＥＳＥＴ全体の周波数領域位置は、関連するＳＳ Ｂｌｏｃｋの周波数領域位置の下にあり、
前記構成されたＲＭＳＩ ＣＯＲＥＳＥＴ全体の周波数領域位置は、関連するＳＳ Ｂｌｏｃｋの周波数領域位置の上にある。
【００２８】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴの周波数領域位置は、関連するＳＳ Ｂｌｏｃｋの周波数領域位置に関する相対オフセット値である。
【００２９】
任意選択で、前記相対オフセット値は所定値である。
任意選択で、前記相対オフセット値は、異なる周波数帯域または周波数範囲における異なる値である。
【００３０】
任意選択で、前記相対オフセット値がｃで表され、ｃの値が次のとおりであり、それぞれ次の異なる情報を示すために使用される：
ｃ  ＝ ０の場合、ＲＭＳＩ ＣＯＲＥＳＥＴと関連するＳＳ Ｂｌｏｃｋの中心周波数が揃っていることを示し、
ｃ  ＝ １の場合、ＲＭＳＩ ＣＯＲＥＳＥＴと関連するＳＳ Ｂｌｏｃｋの周波数領域の開始位置が揃っていることを示し、
ｃ  ＝ ２の場合、ＲＭＳＩ ＣＯＲＥＳＥＴと関連するＳＳ Ｂｌｏｃｋの周波数領域の終了位置が揃っていることを示し、
ｃ  ＝ ３の場合、ＲＭＳＩ ＣＯＲＥＳＥＴの周波数領域の終了位置と端末の最小キャリア帯域幅の終了位置が揃っているが、関連するＳＳ Ｂｌｏｃｋの周波数領域の開始位置と端末の最小キャリア帯域幅の開始位置が揃っていることを示し、
ｃ  ＝ ４の場合、ＲＭＳＩ ＣＯＲＥＳＥＴの周波数領域の開始位置と端末の最小キャリア帯域幅の開始位置が揃っているが、関連するＳＳ Ｂｌｏｃｋの周波数領域の終了位置と端末の最小キャリア帯域幅の終了位置が揃っていることを示し、
ここで、前記端末の最小キャリア帯域幅は事前に設定される。
【００３１】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，１５}ｋＨｚであれば、前記ＲＭＳＩ ＣＯＲＥＳＥＴの時間領域位置は、次の構成のいずれかを採用し：
構成１： ＲＭＳＩ ＣＯＲＥＳＥＴの時間領域位置は、関連するＳＳ Ｂｌｏｃｋの時間領域位置に先行し、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、
構成２： ＲＭＳＩ ＣＯＲＥＳＥＴの時間領域位置は、関連するＳＳ Ｂｌｏｃｋの時間領域位置の後ろにあり、
ＲＭＳＩ ＣＯＲＥＳＥＴは、１つの時間領域シンボルを占有し、かつ、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、ＲＭＳＩ ＣＯＲＥＳＥＴの時間領域位置相は、関連するＳＳ Ｂｌｏｃｋの時間領域位置から＋１だけオフセットされ、;または、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、
構成４：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から−１だけオフセットされ、
ここで、ＳＳＢはＳＳ Ｂｌｏｃｋであり、Ｉｎｄｅｘはインデックスである。
【００３２】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，３０}ｋＨｚであれｒば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、
構成２：ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数である。
【００３３】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{３０, ３０}または{１２０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
構成２：ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−Ｂだけオフセットされ、ここで、ＳＳＢは、ＳＳ Ｂｌｏｃｋであり、
構成３：ｍｏｄ（ＳＳＢＩｎｄｅｘ,４）={１,３}が満たされると、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であり、Ｉｎｄｅｘはインデックスである。
【００３４】
任意選択で、前記ＲＭＳＩ ＣＯＲＥＳＥＴの構成パラメータが前記ＲＭＳＩ ＣＯＲＥＳＥＴの時間領域位置を含む場合あり、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−１だけオフセットされ、ここで、ＳＳＢは、ＳＳ Ｂｌｏｃｋであり、
ｍｏｄ（ＳＳＢ Ｉｎｄｅｘ,４）={１,３}が満たされると、ＲＭＳＩ ＣＯＲＥＳＥＴの時間領域位置相は、関連するＳＳ Ｂｌｏｃｋの時間領域位置から＋１だけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−２だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から−５だけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から＋５だけオフセットされ、
ここで、Ｉｎｄｅｘはインデックスである。
【００３５】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,１}が満たされると、ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされ、
ｍｏｄ（ＳＳＢ Ｉｎｄｅｘ,４）={２,３}が満たされると、ＲＭＳＩ ＣＯＲＥＳＥＴの時間領域位置は、関連するＳＳ Ｂｌｏｃｋの時間領域位置から＋４または＋３つの１２０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされ、
構成３： ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ＳＳＢはＳＳ Ｂｌｏｃｋであり、Ｉｎｄｅｘはインデックスである。
【００３６】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）=ｎ={０,１}が満たされると、ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされ、
ｍｏｄ（ＳＳＢ Ｉｎｄｅｘ,４）=ｎ={２,３}が満たされると、ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされ、
ここで、ＳＳＢはＳＳ Ｂｌｏｃｋであり、Ｉｎｄｅｘはインデックスである。
【００３７】
任意選択で、前記ＲＭＳＩ ＣＯＲＥＳＥＴおよび関連するＳＳ Ｂｌｏｃｋ的構成パラメータを決定することは、同じまたは異なるＳＳ Ｂｌｏｃｋサブキャリア間隔（ＳＣＳ）およびＲＭＳＩ ＣＯＲＥＳＥＴ ＳＣＳの構成情况の場合、ＳＳ Ｂｌｏｃｋが実際に送信されないと、ＳＳ Ｂｌｏｃｋが実際に送信されない時間領域位置は、ＲＭＳＩ ＣＯＲＥＳＥＴに対して構成され、
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}または{２４０,６０}ｋＨｚであれば、８つのＳＳブロックごとに１つのＳＳ Ｂｌｏｃｋ位置がＲＭＳＩ ＣＯＲＥＳＥＴの時間領域位置である。
【００３８】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成を採用し：
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、ＲＭＳＩ ＣＯＲＥＳＥＴによって占有される時間領域シンボルの数は、Ｂ={１,２}個の時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域だけオフセットされ
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされ、
ここで、ＳＳＢはＳＳ Ｂｌｏｃｋであり、Ｉｎｄｅｘはインデックスであり、ｎは所定値である。
【００３９】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成を採用し：
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、ＲＭＳＩ ＣＯＲＥＳＥＴによって占有される時間領域シンボルの数は、Ｂ={１}時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされ、
ここで、ＳＳＢはＳＳ Ｂｌｏｃｋであり、Ｉｎｄｅｘはインデックスである。
【００４０】
任意選択で、前記ＲＭＳＩ ＣＯＲＥＳＥＴの構成パラメータは、前記ＲＭＳＩ ＣＯＲＥＳＥＴによって占有される物理リソースブロック（ＰＲＢ）の総数を含み、前記ＰＲＢの数は離散的な候補集合のリストである。
【００４１】
任意選択で、前記離散的な候補集合は{４８,７２,９６}である。
任意選択で、前記ＲＭＳＩ ＣＯＲＥＳＥＴの構成パラメータが、ＲＭＳＩ ＣＯＲＥＳＥＴによって占有される帯域幅とＲＭＳＩ ＣＯＲＥＳＥＴによって占有される連続時間領域シンボルの数の組み合わせを含む場合、前記組み合わせは具体的には次のいずれかであり、
{４８ ＰＲＢｓ, １つの時間領域シンボル}と、
{７２ ＰＲＢｓ, １つの時間領域シンボル}と、
{９６ ＰＲＢｓ, １つの時間領域シンボル}と、
{２４ＰＲＢｓ, ２つの連続時間領域シンボル}と、
{３６ＰＲＢｓ, ２つの連続時間領域シンボル}と、
{４８ＰＲＢｓ, ２つの連続時間領域シンボル}と、
{１６ＰＲＢｓ, ３つの連続時間領域シンボル}と、
{２４ＰＲＢｓ, ３つの連続時間領域シンボル}と、
{３２ＰＲＢｓ, ３つの連続時間領域シンボル}と、
{１２ＰＲＢｓ, ４つの連続時間領域シンボル}と、
{１８ＰＲＢｓ, ４つの連続時間領域シンボル}と、
{２４ＰＲＢｓ, ４つの連続時間領域シンボル}と、
前記ＰＲＢｓは、複数の物理リソースブロックを表す。
【００４２】
本発明の実施形態によって提供される別のリソース構成装置は、
残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するように構成された第１のユニットと、
前記ＲＭＳＩ ＣＯＲＥＳＥＴおよび関連するＳＳ Ｂｌｏｃｋ的構成パラメータを決定するように構成された第２のユニットとを備え、
各ＳＳ Ｂｌｏｃｋバースト集合内のすべてのＳＳ Ｂｌｏｃｋに関連する残りの最小システム情報制御リソース集合の構成パラメータは、同じである。
【００４３】
本発明の他の実施形態によって提供されるコンピュータ記憶媒体は、前記コンピュータに上記いずれかの方法を実行させるように構成されたコンピュータ実行可能命令を記憶することを特徴とするコンピュータ記憶媒体である。
【図面の簡単な説明】
【００４４】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】本発明の実施形態によって提供される複数の時分割多重モードにおけるＲＭＳＩ ＣＯＲＥＳＥＴ構成方法の概略図である。
【図２】本発明の実施形態によって提供される時分割多重モードにおいて、ＲＭＳＩ ＣＯＲＥＳＥＴ周波数領域オフセットが有限値によって示されるシナリオ（ｃ’={０，１，２，３， ４}）の概略図である。
【図３】本発明の実施形態によって提供されるＳＳ Ｂｌｏｃｋ ＳＣＳとＲＭＳＩ ＣＯＲＥＳＥＴ ＳＣＳとの組み合わせが{１５，１５}ｋＨｚであるときのＲＭＳＩ ＣＯＲＥＳＥＴ時間領域位置の概略図である。
【図４】本発明の実施形態によって提供されるＳＳ Ｂｌｏｃｋ ＳＣＳとＲＭＳＩ ＣＯＲＥＳＥＴ ＳＣＳとの組み合わせが{１５，３０}ｋＨｚであるときのＲＭＳＩ ＣＯＲＥＳＥＴ時間領域位置の概略図である。
【図５】本発明の実施形態によって提供されるＳＳ Ｂｌｏｃｋ ＳＣＳとＲＭＳＩ ＣＯＲＥＳＥＴ ＳＣＳとの組み合わせが{３０，３０}または{１２０，１２０}ｋＨｚであるときのＲＭＳＩ ＣＯＲＥＳＥＴ時間領域位置の概略図である。
【図６】本発明の実施形態によって提供されるＳＳ Ｂｌｏｃｋ ＳＣＳとＲＭＳＩ ＣＯＲＥＳＥＴ ＳＣＳとの組み合わせが{３０，１５}または{１２０，６０}ｋＨｚであるときのＲＭＳＩ ＣＯＲＥＳＥＴ時間領域位置の概略図である。
【図７】本発明の実施形態によって提供されるＳＳ Ｂｌｏｃｋ ＳＣＳとＲＭＳＩ ＣＯＲＥＳＥＴ ＳＣＳとの組み合わせが{２４０，１２０}または{２４０，６０}ｋＨｚであるときのＲＭＳＩ ＣＯＲＥＳＥＴ時間領域位置の概略図である。
【図８】本発明の実施形態によって提供されるＳＳ Ｂｌｏｃｋ ＳＣＳとＲＭＳＩ ＣＯＲＥＳＥＴ ＳＣＳとの組み合わせが{２４０，１２０}または{２４０，６０}ｋＨｚであるときのＲＭＳＩ ＣＯＲＥＳＥＴの別の時間領域位置の概略図である。
【図９】本発明の実施形態によって提供されるリソース構成方法のフロー概略図である。
【図１０】本発明の実施形態によって提供されるリソース構成装置の構造概略図である。
【図１１】本発明の実施形態によって提供される別のリソース構成装置の構造概略図である。
【発明を実施するための形態】
【００４５】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００４６】
本発明の技術案は多様な通信システムに応用することができる。例えば、ＧＳＭ（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ−Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）新しい無線（Ｎｅｗ ｒａｄｉｏ，ＮＲ）等に応用できる。
【００４７】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００４８】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とアクセスネットワークの他の部分間のルーターとすることができる。ここで、アクセスネットワークの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【００４９】
本発明の実施形態は、リソース構成方法および装置、ならびにコンピュータ記憶媒体を提供して、残りの最小システム情報制御リソース集合および関連する同期情報ブロックが時分割多重モードを採用する場合、残りの最小システム情報制御リソース集合の構成がより柔軟になり、より多くのアプリケーションシナリオに適用できる。
【００５０】
本発明の実施形態は、ＲＭＳＩ ＣＯＲＥＳＥＴおよび関連するＳＳ Ｂｌｏｃｋが時分割多重モードを採用するときのＲＭＳＩ ＣＯＲＥＳＥＴの構成方法を提供する。ここで、ＲＭＳＩ ＣＯＲＥＳＥＴおよび関連するＳＳ Ｂｌｏｃｋによって採用される時分割多重モードは、図１に示すようである。ここで、ＲＭＳＩ ＣＯＲＥＳＥＴおよび関連するＳＳ Ｂｌｏｃｋに関しては、ＲＭＳＩ ＣＯＲＥＳＥＴの構成パラメータは、ＳＳ Ｂｌｏｃｋに含まれるＰＢＣＨを通じて通知されるため、当該ＲＭＳＩ ＣＯＲＥＳＥＴは当該ＳＳ Ｂｌｏｃｋに関連付けられている。
【００５１】
図１では、「Ａ」はＲＭＳＩ ＣＯＲＥＳＥＴによって占有される帯域幅である。物理リソースブロック（Ｐｈｙｓｉｃａｌ Ｒｅｓｏｕｒｃｅ Ｂｌｏｃｋ，ＰＲＢ）は粒度である。「Ｂ」は、ＲＭＳＩ ＣＯＲＥＳＥＴによって占有される連続時間領域シンボルの数である。「Ｄ」は、ＰＲＢが粒度である端末の最小キャリア帯域幅である。「ａ」は、ＳＳブロックが占有する帯域幅である。「ｂ」は、ＳＳブロックによって占有される時間領域シンボルの数である。また、「ｃ」は、ＳＳブロックに対するＲＭＳＩ ＣＯＲＥＳＥＴの周波数領域オフセットのインデックスである。
【００５２】
同じ中心キャリア周波数で、ＳＳブロックバースト（ｂｕｒｓｔ）集合内のすべてのＳＳブロック内のＮＲ−ＰＢＣＨは、ＳＳブロックインデックスを除いて同じ内容を運ぶ。したがって、ＲＭＳＩ ＣＯＲＥＳＥＴおよびＳＳブロックがＦＤＭまたはＴＤＭを採用しているかどうかに関係なく、ＳＳブロックバースト内のすべてのＳＳブロックに関連付けられたＲＭＳＩ ＣＯＲＥＳＥＴは同じ構成（たとえば、同じ占有帯域幅、周波数領域の位置、同じ中心キャリア波周波数での占有時間領域シンボルなど）を有する。
【００５３】
したがって、任意選択で、ＲＭＳＩ ＣＯＲＥＳＥＴおよびＳＳブロックがＦＤＭモードまたはＴＤＭモードを採用するかどうかに関係なく、同じ中心キャリア周波数で、１つのＳＳブロックバースト内の各ＳＳブロックに関連するＲＭＳＩ ＣＯＲＥＳＥＴは、以下のような同じ構成パラメータ（ここで説明する前記同じ構成パラメーターは、同じタイプの構成パラメーターを指す場合があり、異なるＳＳ Ｂｌｏｃｋに関連付けられた異なるＲＭＳＩ ＣＯＲＥＳＥＴに対応する同じタイプの構成パラメーターの値は、異なる場合もあれば、同じ場合もある）を有する：
ＲＭＳＩ ＣＯＲＥＳＥＴによって占有される帯域幅；（図１で「Ａ」と表示）
ＲＭＳＩ ＣＯＲＥＳＥＴ 周波数領域位置；
ＲＭＳＩ ＣＯＲＥＳＥＴ 時間領域位置；
ＲＭＳＩ ＣＯＲＥＳＥＴによって占有される連続たは不連続の時間領域シンボルの数；（図１で「Ｂ」と表示）。
【００５４】
加えて、もちろん、他のタイプの構成パラメータも含まれ得る。
ＲＭＳＩ ＣＯＲＥＳＥＴは、時間領域において１つ以上の時間領域シンボルを占有すると仮定され、ここで、ＲＭＳＩ ＣＯＲＥＳＥＴによって占有される帯域幅は、各時間領域シンボル上で同じである。すなわち、「Ａ」は、複数の時間領域シンボルが占有されている場合、ＲＭＳＩ ＣＯＲＥＳＥＴが占有する各時間領域シンボルにおいて、同じ値。したがって、ＲＭＳＩ ＣＯＲＥＳＥＴによって占有されるＰＲＢの総数は、次の式を使用して計算できる。
【００５５】
ＲＭＳＩ ＣＯＲＥＳＥＴによって占有されるＰＲＢの総数 = 各時間領域シンボルの占有帯域幅×占有される連続時間領域シンボルの数=「Ａ」×「Ｂ」。
【００５６】
ＴＤＭモードの場合、周波数領域帯域幅とＲＭＳＩ ＣＯＲＥＳＥＴが占有する連続時間領域のシンボル数の割り当て、定義および構成と比較して、必要な物理リソースブロック（Ｐｈｙｓｉｃａｌ Ｒｅｓｏｕｒｃｅ Ｂｌｏｃｋ，ＰＲＢ）の数に基づいて、複数のパラメータセット集合{占有連続時間領域ンシンボルの数、占有帯域幅}の構成を定義することより効果的である。
【００５７】
そして、ＲＭＳＩスケジューリングを担うＮＲ−ＰＤＣＣＨの信頼できる送信が考慮される。ＮＲ−ＰＤＣＣＨのアグリゲーションレベル８をサポートするには、ＮＲ−ＰＤＣＣＨが占有するＰＲＢの総数が少なくとも４８ ＰＲＢである必要がある。したがって、ＮＲ−ＰＤＣＣＨによって占有されるＰＲＢの総数の候補集合は{４８,７２,９６} ＰＲＢである。
【００５８】
したがって、任意選択で、ＲＭＳＩ ＣＯＲＥＳＥＴの構成パラメータは、前記ＲＭＳＩ ＣＯＲＥＳＥＴによって占有されるＰＲＢの総数をさらに含むことができる。好ましくは、ＲＭＳＩ ＣＯＲＥＳＥＴによって占有されるＰＲＢの総数は、離散的な候補集合のリストである。たとえば、{４８、７２、９６} ＰＲＢ。
【００５９】
任意選択で、ＲＭＳＩ ＣＯＲＥＳＥＴおよび関連するＳＳ Ｂｌｏｃｋが時分割多重モードを採用する場合、ＲＭＳＩ ＣＯＲＥＳＥＴの構成パラメータは、少なくともパラメータ集合｛占有帯域幅、占有連続時間領域シンボルの数｝ ＝ ｛Ａ、Ｂ}を含む。
【００６０】
たとえば、ＲＭＳＩ ＣＯＲＥＳＥＴおよび関連するＳＳ Ｂｌｏｃｋが時分割多重モードを採用する場合、ＲＭＳＩ ＣＯＲＥＳＥＴの構成パラメータに含まれるパラメータ集合は{占有帯域幅、占有連続時間領域シンボルの数}={Ａ,Ｂ}である。ここで、{占有帯域幅、占有連続時間領域シンボルの数}の特定の値は、たとえば次のいずれかである。
◎{４８ ＰＲＢｓ, １つの時間領域シンボル}
◎{７２ ＰＲＢｓ, １つの時間領域シンボル}
◎{９６ ＰＲＢｓ, １つの時間領域シンボル}
◎{２４ＰＲＢｓ, ２つの連続時間領域シンボル}
◎{３６ＰＲＢｓ, ２つの連続時間領域シンボル}
◎{４８ＰＲＢｓ, ２つの連続時間領域シンボル}
◎{１６ＰＲＢｓ, ３つの連続時間領域シンボル}
◎{２４ＰＲＢｓ, ３つの連続時間領域シンボル}
◎{３２ＰＲＢｓ, ３つの連続時間領域シンボル}
◎{１２ＰＲＢｓ, ４つの連続時間領域シンボル}
◎{１８ＰＲＢｓ, ４つの連続時間領域シンボル}
◎{２４ＰＲＢｓ, ４つの連続時間領域シンボル}。
は、複数の物理リソースブロックを表す。
【００６１】
任意選択で、ＲＭＳＩ ＣＯＲＥＳＥＴの周波数領域位置は、関連するＳＳ Ｂｌｏｃｋに対する周波数領域オフセット位置によって指定されてもよい。具体的には、達成する多くの方法がまだある。例えば、基準点は、それぞれ、ＲＭＳＩ ＣＯＲＥＳＥＴにより占有される帯域幅およびＳＳ Ｂｌｏｃｋにより占有される帯域幅の中心、開始または終了位置であり得る。ＴＤＭモードの場合、図１に示すように、次の３種類の相対関係がある。
【００６２】
図１（a）では、ＲＭＳＩ ＣＯＲＥＳＥＴと関連するＳＳ Ｂｌｏｃｋが帯域幅の中心位置を共有しています。
図１（b）では、ＲＭＳＩ ＣＯＲＥＳＥＴの帯域幅の中心は、関連するＳＳ Ｂｌｏｃｋの帯域幅の中心の上にある。
図１（c）では、ＲＭＳＩ ＣＯＲＥＳＥＴの帯域幅の中心は、関連するＳＳ Ｂｌｏｃｋの帯域幅の中心の下にある。
【００６３】
したがって、任意選択で、ＲＭＳＩ ＣＯＲＥＳＥＴおよび関連するＳＳ Ｂｌｏｃｋが時分割多重化モードを採用する場合、それらの間の周波数領域位置関係は、以下の関係のうちの１つであり得る。
【００６４】
ＲＭＳＩ ＣＯＲＥＳＥＴと関連するＳＳ Ｂｌｏｃｋは中心位置を共有します。たとえば、図１（a）では、ＣＳ０と関連するＳＳＢ０の周波数領域の位置の中心が重なっています。ＣＳはＲＭＳＩ ＣＯＲＥＳＥＴを表し、ＳＳＢはＳＳ Ｂｌｏｃｋを表し、それぞれに続く数字はインデックス（同じことが他の実施形態における同様の説明に適用可能であり、後で繰り返されない）。
【００６５】
ＲＭＳＩ ＣＯＲＥＳＥＴの帯域幅の中心は、関連するＳＳ Ｂｌｏｃｋの帯域幅の中心の下にある。たとえば、図１（c）では、ＣＳ０の周波数領域の位置の中心は、関連するＳＳＢ０の周波数領域の位置の中心の下にある。ＣＳはＲＭＳＩ ＣＯＲＥＳＥＴを表し、ＳＳＢはＳＳ Ｂｌｏｃｋを表し、それぞれに続く数字はインデックスを表す（同じことが他の実施形態における同様の説明に適用可能であり、後で繰り返されない）。
【００６６】
ＲＭＳＩ ＣＯＲＥＳＥＴの帯域幅の中心は、関連するＳＳ Ｂｌｏｃｋの帯域幅の中心の上にある。たとえば、図１（b）では、ＣＳ０の周波数領域位置中心は、関連するＳＳＢ０の周波数領域位置中心の上にある。ＣＳはＲＭＳＩ ＣＯＲＥＳＥＴを表し、ＳＳＢはＳＳ Ｂｌｏｃｋを表し、それぞれに続く数字はインデックスを表します（同じことが他の実施形態の同様の説明に適用可能であり、後で繰り返さない）。
【００６７】
ＮＲ-ＰＢＣＨによって運ばれるＲＭＳＩ ＣＯＲＥＳＥＴの構成パラメータのビット数を最小化するために、図１の周波数領域オフセットパラメータ「ｃ」の粒度は、規格によって指定されるべきである。すなわち、所定値であり、ＮＲ−ＰＢＣＨで通知する必要はない。ここで、粒度は、キャリア周波数に応じて規格によって指定されてもよく、異なる値は、異なるキャリア周波数に対して構成されてもよい。例えば、６ＧＨｚより高いキャリア周波数と６ＧＨｚより低いキャリア周波数に対応する粒度は異なる場合がある。
【００６８】
したがって、任意選択で、ＲＭＳＩ ＣＯＲＥＳＥＴおよび関連するＳＳ Ｂｌｏｃｋが時分割多重化モードを採用する場合、それらの周波数領域位置間の相対オフセットの粒度は、規格によって事前定義され、異なる周波数帯域または周波数範囲に応じて異なる値が使用され得る。例えば、より小さい端末最小キャリア帯域幅（例えば、５ＭＨｚまたは１０ＭＨｚ）の場合、粒度は１ＰＲＢ、すなわち、ｃ ＝ １であり得る。より大きな端末の最小キャリア帯域幅（たとえば、１００ ＭＨｚまたは４００ ＭＨｚ）の場合、粒度は複数のＰＲＢ、たとえば６つのＰＲＢ、つまりc = ６である。
【００６９】
さらに、周波数領域オフセット値ｃは、限られた数の値によって定義することもできる。たとえば、「c」= {０、１、２、３、４}は、図５と図６に示すように、それぞれ５種類の相対関係を表す。それぞれ２（a）-（e）に示すように、具体的には：
c = ０の場合は、ＲＭＳＩ ＣＯＲＥＳＥＴと関連するＳＳ Ｂｌｏｃｋの中心周波数が揃っていることを示す。これは、図２（a）に対応する。
【００７０】
c = １の場合、ＲＭＳＩ ＣＯＲＥＳＥＴと関連するＳＳ Ｂｌｏｃｋの周波数領域の開始位置が揃っていることを示す。これは、図２（b）に対応する。
c = ２の場合、ＲＭＳＩ ＣＯＲＥＳＥＴと関連するＳＳ Ｂｌｏｃｋの周波数領域の終了位置が揃っていることを示す。これは、図２（c）に対応する。
c = ３の場合、ＲＭＳＩ ＣＯＲＥＳＥＴの周波数領域の終了位置は、端末の最小キャリア帯域幅の終了位置に揃えられるが、関連するＳＳ Ｂｌｏｃｋの周波数領域の開始位置は、図２（ｄ）に対応する端末の最小キャリア帯域幅に揃えられる。
c = ４の場合、ＲＭＳＩ ＣＯＲＥＳＥＴの周波数領域の開始位置は、端末の最小キャリア帯域幅の開始位置に揃えられるが、関連するＳＳ Ｂｌｏｃｋの周波数領域の終了位置は、図２（ｅ）に対応する端末の最小キャリア帯域幅に揃えられる。
【００７１】
本願の実施形態では、端末の最小キャリア帯域幅の特定の値は、実際の需要に従って決定されてもよく、または事前設定されてもよい。
【００７２】
ＮＲでは、ＳＳ Ｂｌｏｃｋの送信パターンは、設定されたサブキャリア間隔（Ｓｕｂｃａｒｒｉｅｒ ｓｐａｃｉｎｇ，ＳＣＳ）に関連する。異なるＳＣＳ値は、異なるＳＳ Ｂｌｏｃｋ送信パターンに対応する。また、ＳＳ Ｂｌｏｃｋが配置されているタイムスロットでは、ＲＭＳＩ ＣＯＲＥＳＥＴ送信に使用できる時間領域シンボルリソースは、ＳＳ Ｂｌｏｃｋ送信パターンだけでなく、ＳＳ ＢｌｏｃｋＳＣＳおよびＲＭＳＩ ＣＯＲＥＳＥＴ ＳＣＳの構成にも依存する。
【００７３】
ＳＳ ＢｌｏｃｋＳＣＳ ＝ １５ｋＨｚの場合、ＳＳ Ｂｌｏｃｋ送信パターンは、図３に示されるとおりである。ＳＳ Ｂｌｏｃｋによって占有され得る最初のシンボルのインデックス（ＳＳの時間領域番号）ブロック）は次の式で取得されます（インデックスの粒度はＳＣＳ = １５ ｋＨｚに基づいている）。
{２、８} + １４ * ｎ
ここで、キャリア周波数が３ ＧＨｚ未満の場合、ｎ = ０、１である。キャリア周波数が３〜６ ＧＨｚの場合、ｎ = ０、１、２、３である。
このとき、ＲＭＳＩ ＣＯＲＥＳＥＴ ＳＣＳは、１５ｋＨｚまたは３０ｋＨｚであり得る。したがって、この時点では、ＳＳ ＢｌｏｃｋＳＣＳとＲＭＳＩ ＣＯＲＥＳＥＴ ＳＣＳ {ＳＳ ＢｌｏｃｋＳＣＳ、ＲＭＳＩ ＣＯＲＥＳＥＴ ＳＣＳ}の２つの組み合わせがあり、それぞれ{１５、１５} ｋＨｚと{１５、３０} ｋＨｚである。
【００７４】
ケース１：｛１５、１５｝ ｋＨｚ。
ＳＳ ＢｌｏｃｋＳＣＳとＲＭＳＩ ＣＯＲＥＳＥＴ ＳＣＳとの組み合わせが｛１５、１５｝ ｋＨｚである場合、ＲＭＳＩ ＣＯＲＥＳＥＴの時間領域位置は、以下のように構成され得る。
【００７５】
図３（ａ）に示されるように、各ＲＭＳＩ ＣＯＲＥＳＥＴの時間領域位置は、その関連するＳＳ Ｂｌｏｃｋの時間領域位置に先行する。ここで、各ＲＭＳＩ ＣＯＲＥＳＥＴについて：
図３（ａ）マル１に示されるように、ＲＭＳＩ ＣＯＲＥＳＥＴは、１つの時間領域シンボルを占有し、当該ＲＭＳＩ ＣＯＲＥＳＥＴの時間領域位置は、関連するＳＳ Ｂｌｏｃｋの時間領域位置から−１だけオフセットされる。本発明の実施形態では、負の値であるオフセット値は、ＲＭＳＩ ＣＯＲＥＳＥＴの時間領域位置が関連するＳＳ Ｂｌｏｃｋの時間領域位置に先行することを示すことに留意する必要がある。正の値は、ＲＭＳＩ ＣＯＲＥＳＥＴの時間領域の位置が、関連するＳＳ Ｂｌｏｃｋの時間領域の位置よりも後ろにあることを示す（同じことが次の内容に適用され、後で繰り返されない）。
【００７６】
図３（ａ）マル２に示すように、ＲＭＳＩ ＣＯＲＥＳＥＴは、１つの時間領域シンボルを占有し、当該ＲＭＳＩ ＣＯＲＥＳＥＴの時間領域位置は、関連するＳＳ Ｂｌｏｃｋの時間領域位置から-２だけオフセットされる。
【００７７】
図３（ａ）マル３に示すように、ＲＭＳＩ ＣＯＲＥＳＥＴは、２つの時間領域シンボルを占有し、当該ＲＭＳＩ ＣＯＲＥＳＥＴの時間領域位置は、関連するＳＳ Ｂｌｏｃｋの時間領域位置から-２だけオフセットされる。
【００７８】
図３（ｂ）に示すように、各ＲＭＳＩ ＣＯＲＥＳＥＴの時間領域位置は、関連するＳＳ Ｂｌｏｃｋの時間領域位置の後ろにある。ここで、各ＲＭＳＩ ＣＯＲＥＳＥＴについて：
図３（ｂ）マル１に示されるように、ＲＭＳＩ ＣＯＲＥＳＥＴは、１つの時間領域シンボルを占有し、ＲＭＳＩ ＣＯＲＥＳＥＴの時間領域位置は、関連するＳＳ Ｂｌｏｃｋの時間領域位置から＋１だけオフセットされる。
【００７９】
図３（ｂ）マル２に示されるように、ＲＭＳＩ ＣＯＲＥＳＥＴは、１つの時間領域シンボルを占有し、ＲＭＳＩ ＣＯＲＥＳＥＴの時間領域位置は、関連するＳＳ Ｂｌｏｃｋの時間領域位置から＋２だけオフセットされる。
【００８０】
図３（ｂ）マル３に示されるように、ＲＭＳＩ ＣＯＲＥＳＥＴは、２つの時間領域シンボルを占有し、ＲＭＳＩ ＣＯＲＥＳＥＴの時間領域位置は、関連するＳＳ Ｂｌｏｃｋの時間領域位置から＋２だけオフセットされる。
【００８１】
図３（ｃ）に示すように、偶数のインデックスを有するＳＳ Ｂｌｏｃｋに関連するＲＭＳＩ ＣＯＲＥＳＥＴの時間領域位置は、このＳＳ Ｂｌｏｃｋの時間領域位置の直前に配置される。そして、奇数のインデックスを持つＳＳ Ｂｌｏｃｋに関連付けられたＲＭＳＩ ＣＯＲＥＳＥＴの時間領域位置は、このＳＳ Ｂｌｏｃｋの時間領域位置の直後に配置される。
【００８２】
図３（ｃ）マル１に示すように、ＲＭＳＩ ＣＯＲＥＳＥＴは、１つの時間領域シンボルを占有し、ｍｏｄ（ＳＳＢ Ｉｎｄｅｘ,２）={０}が満たされると、当該ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、当該ＲＭＳＩ ＣＯＲＥＳＥＴの時間領域位置相は、関連するＳＳ Ｂｌｏｃｋの時間領域位置から＋１だけオフセットされる。
【００８３】
図３（ｃ）マル２に示すように、ＲＭＳＩ ＣＯＲＥＳＥＴは、１つの時間領域シンボルを占有し、ｍｏｄ（ＳＳＢ Ｉｎｄｅｘ,２）={０}が満たされると、当該ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、当該ＲＭＳＩ ＣＯＲＥＳＥＴの時間領域位置は、関連するＳＳ Ｂｌｏｃｋの時間領域位置から＋２だけオフセットされる。
【００８４】
図３（ｃ）マル３に示すように、ＲＭＳＩ ＣＯＲＥＳＥＴは、２つの時間領域シンボルを占有し、ｍｏｄ（ＳＳＢ Ｉｎｄｅｘ,２）={０}が満たされると、当該ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、当該ＲＭＳＩ ＣＯＲＥＳＥＴの時間領域位置は、関連するＳＳ Ｂｌｏｃｋの時間領域位置から＋２だけオフセットされる。
【００８５】
図３（ｄ）に示すように、偶数のインデックスを有するＳＳ Ｂｌｏｃｋに関連するＲＭＳＩ ＣＯＲＥＳＥＴの時間領域位置は、このＳＳ Ｂｌｏｃｋの時間領域位置の直後に配置される。そして、奇数のインデックスを持つＳＳ Ｂｌｏｃｋに関連付けられたＲＭＳＩ ＣＯＲＥＳＥＴの時間領域位置は、このＳＳ Ｂｌｏｃｋの時間領域位置の直前に配置される。
【００８６】
図３（ｄ）マル１に示すように、ＲＭＳＩ ＣＯＲＥＳＥＴは、１つの時間領域シンボルを占有し、ｍｏｄ（ＳＳＢ Ｉｎｄｅｘ,２）={０}が満たされると、当該ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、当該ＲＭＳＩ ＣＯＲＥＳＥＴの時間領域位置は、関連するＳＳ Ｂｌｏｃｋの時間領域位置から-１だけオフセットされる。
【００８７】
本発明の実施形態では、前記Ｉｎｄｅｘはインデックスを表す。
【００８８】
ケース２：｛１５、３０｝ ｋＨｚ。
ＳＳ ＢｌｏｃｋＳＣＳとＲＭＳＩ ＣＯＲＥＳＥＴ ＳＣＳとの組み合わせが｛１５、３０｝ ｋＨｚである場合、ＲＭＳＩ ＣＯＲＥＳＥＴの時間領域位置は、以下のように構成され得る：各ＲＭＳＩ ＣＯＲＥＳＥＴによって占有される時間領域ンシンボルの数「Ｂ」の値は１、２、３、４の場合がある。ここで、各ＲＭＳＩ ＣＯＲＥＳＥＴについて：
図４（ｂ）の下の灰色の線によって示されるように、ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から-Ｂだけオフセットする。
【００８９】
図４（ｂ）の上の黒い線によって示されるように、ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置関連するＳＳ Ｂｌｏｃｋの時間領域の位置から+ Ｂだけオフセットされる。
【００９０】
図４（ｃ）に示されるように、偶数のインデックスを有するＳＳ Ｂｌｏｃｋに関連するＲＭＳＩ ＣＯＲＥＳＥＴの時間領域位置は、このＳＳ Ｂｌｏｃｋの時間領域位置に先行し、当該ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は当該ＳＳ Ｂｌｏｃｋの時間領域位置の後ろにあり、当該ＲＭＳＩ ＣＯＲＥＳＥＴの時間領域位置は、関連するＳＳ Ｂｌｏｃｋの時間領域位置から＋Ｂだけオフセットされる。
【００９１】
ＳＳ ＢｌｏｃｋＳＣＳ ＝ ３０ｋＨｚまたは１２０ｋＨｚに関して、ＲＭＳＩ ＣＯＲＥＳＥＴの時間領域位置の構成は、以下のように導入される：
ＳＳ ＢｌｏｃｋＳＣＳ ＝ ３０ｋＨｚまたは１２０ｋＨｚの場合、ＳＳ Ｂｌｏｃｋ送信パターンは、図３に示されるとおりである。ＳＳ Ｂｌｏｃｋによって占有され得る最初のシンボルのインデックスは、以下の式によって得られる。
【００９２】
{４, ８, １６, ２０} ＋ ２８*ｎ
ここで、キャリア周波数が３ ＧＨｚ未満（３ ＧＨｚ以下）の場合、ｎ = ０である。キャリア周波数が６ ＧＨｚを超える（６ ＧＨｚ以上）場合、ｎ = ０、１である。
このとき、ＳＳ Ｂｌｏｃｋ ＳＣＳとＲＭＳＩ ＣＯＲＥＳＥＴ ＳＣＳとの組み合わせ{ＳＳ Ｂｌｏｃｋ ＳＣＳ, ＲＭＳＩ ＣＯＲＥＳＥＴ ＳＣＳ}は、{３０，１５}、{３０,３０}、{１２０,６０}または{１２０,１２０}ｋＨｚであり得る。ここで、ＲＭＳＩ ＣＯＲＥＳＥＴによって占有される帯域幅および時間領域シンボルの数は、上記実施形態で説明した通りである。
【００９３】
ケース１：｛３０、３０｝または｛１２０、１２０｝。
図５は、ＲＭＳＩ ＣＯＲＥＳＥＴの時間領域位置の可能な構成方法を示す。ここで、「Ｂ」は、ＲＭＳＩ ＣＯＲＥＳＥＴによって占有される連続的な時間領域シンボルの数であり、その値は、１または２であり得る。
【００９４】
図５に示すように、偶数のインデックスを有するＳＳ Ｂｌｏｃｋに関連するＲＭＳＩ ＣＯＲＥＳＥＴの時間領域位置は、このＳＳ Ｂｌｏｃｋの時間領域位置の直前に配置される。そして、奇数のインデックスを持つＳＳ Ｂｌｏｃｋに関連付けられたＲＭＳＩ ＣＯＲＥＳＥＴの時間領域位置は、このＳＳ Ｂｌｏｃｋの時間領域位置の直後に配置される。
【００９５】
ｍｏｄ（ＳＳＢ Ｉｎｄｅｘ,４）={０,２}が満たされると、当該ＲＭＳＩ ＣＯＲＥＳＥＴの時間領域位置は、関連するＳＳ Ｂｌｏｃｋの時間領域位置から−Ｂだけオフセットされる；
ｍｏｄ（ＳＳＢ Ｉｎｄｅｘ,４）={１,３}が満たされると、当該ＲＭＳＩ ＣＯＲＥＳＥＴの時間領域位置は、于関連するＳＳ Ｂｌｏｃｋの時間領域位置から＋Ｂだけオフセットされる。
【００９６】
ケース２：｛３０、１５｝または｛１２０、６０｝。
図６の上部の点線によって示されるように、偶数のインデックスを有するＳＳ Ｂｌｏｃｋに関連するＲＭＳＩ ＣＯＲＥＳＥＴの時間領域位置は、このＳＳ Ｂｌｏｃｋの時間領域位置の直前に配置される。そして、奇数のインデックスを持つＳＳ Ｂｌｏｃｋに関連付けられたＲＭＳＩ ＣＯＲＥＳＥＴの時間領域位置は、このＳＳ Ｂｌｏｃｋの時間領域位置の直後に配置される。
【００９７】
ここで、各ＲＭＳＩ ＣＯＲＥＳＥＴについて：
ｍｏｄ（ＳＳＢ Ｉｎｄｅｘ,４）={０,２}が満たされると、当該ＲＭＳＩ ＣＯＲＥＳＥＴの時間領域位置は、関連するＳＳ Ｂｌｏｃｋの時間領域位置から−１だけオフセットされる。
ｍｏｄ（ＳＳＢ Ｉｎｄｅｘ,４）={１,３}が満たされると、当該ＲＭＳＩ ＣＯＲＥＳＥＴの時間領域位置相は、関連するＳＳ Ｂｌｏｃｋの時間領域位置から＋１だけオフセットされる。
【００９８】
図６の下の実線によって示されるように、ＲＭＳＩ ＣＯＲＥＳＥＴの時間領域位置は、関連するＳＳ Ｂｌｏｃｋの時間領域位置の前に配置され、各ＲＭＳＩ ＣＯＲＥＳＥＴについて：
ｍｏｄ（ＳＳＢ Ｉｎｄｅｘ,４）={０,２}が満たされると、当該ＲＭＳＩ ＣＯＲＥＳＥＴの時間領域位置は、関連するＳＳ Ｂｌｏｃｋの時間領域位置から−２だけオフセットされる。
ｍｏｄ（ＳＳＢ Ｉｎｄｅｘ,４）={１,３}が満たされると、当該ＲＭＳＩ ＣＯＲＥＳＥＴの時間領域位置は、関連するＳＳ Ｂｌｏｃｋの時間領域位置から−５だけオフセットされる。
【００９９】
図６の下の点線によって示されるように、ＲＭＳＩ ＣＯＲＥＳＥＴの時間領域位置は、関連するＳＳ Ｂｌｏｃｋの時間領域位置の後ろに配置され、各ＲＭＳＩ ＣＯＲＥＳＥＴについて：
ｍｏｄ（ＳＳＢ Ｉｎｄｅｘ,４）={０,２}が満たされると、当該ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、当該ＲＭＳＩ ＣＯＲＥＳＥＴの時間領域位置は、関連するＳＳ Ｂｌｏｃｋの時間領域位置から+５だけオフセットされる。
【０１００】
ＳＳ ＢｌｏｃｋＳＣＳ ＝ ２４０ｋＨｚの場合、ＲＭＳＩ ＣＯＲＥＳＥＴの時間領域位置の構成は、以下のように導入される：
ＳＳ ＢｌｏｃｋＳＣＳ ＝ ２４０ｋＨｚの場合、ＳＳ Ｂｌｏｃｋ送信パターンは、図４に示されるとおりである。ＳＳ Ｂｌｏｃｋによって占有され得る最初のシンボルのインデックスは、以下の式によって得られる。
【０１０１】
{８, １２, １６, ２０, ３２, ３６, ４０, ４４} ＋ ５６*ｎ；
ここで、ｎ=０, １, ２, ３, ５, ６, ７, ８。
このとき、ＳＳ Ｂｌｏｃｋ ＳＣＳとＲＭＳＩ ＣＯＲＥＳＥＴ ＳＣＳとの組み合わせ{ＳＳ Ｂｌｏｃｋ ＳＣＳ, ＲＭＳＩ ＣＯＲＥＳＥＴ ＳＣＳ}は、｛２４０、１２０｝または｛２４０、６０｝ ｋＨｚであり得る。ここで、ＲＭＳＩ ＣＯＲＥＳＥＴによって占有される帯域幅および時間領域シンボルの数は、上記実施形態で説明した通りである。
【０１０２】
Ｃａｓｅ１：{２４０, １２０}の場合、図７（ｂ）に示すようである。
図７（ｂ）の上部の点線によって示されるように、偶数のインデックスを有するＳＳ Ｂｌｏｃｋに関連するＲＭＳＩ ＣＯＲＥＳＥＴの時間領域位置は、このＳＳ Ｂｌｏｃｋの時間領域位置の直前に配置される。そして、奇数のインデックスを持つＳＳ Ｂｌｏｃｋに関連付けられたＲＭＳＩ ＣＯＲＥＳＥＴの時間領域位置は、このＳＳ Ｂｌｏｃｋの時間領域位置の直後に配置される。
【０１０３】
ここで、各ＲＭＳＩ ＣＯＲＥＳＥＴについて：
ｍｏｄ（ＳＳＢ Ｉｎｄｅｘ,４）={０,１}が満たされると、当該ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされる。
ｍｏｄ（ＳＳＢ Ｉｎｄｅｘ,４）={２,３}が満たされると、当該ＲＭＳＩ ＣＯＲＥＳＥＴの時間領域位置は、関連するＳＳ Ｂｌｏｃｋの時間領域位置から＋４または＋３個の１２０ｋＨｚ時間領域シンボルだけオフセットされる。
【０１０４】
図７（ｂ）の下の実線によって示されるように、ＲＭＳＩ ＣＯＲＥＳＥＴの時間領域位置は、関連するＳＳ Ｂｌｏｃｋの時間領域位置の前に配置され、各ＲＭＳＩ ＣＯＲＥＳＥＴについて：
ｍｏｄ（ＳＳＢ Ｉｎｄｅｘ,４）= ｎが満たされると、当該ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされる。
【０１０５】
図７（ｂ）の下の点線によって示されるように、ＲＭＳＩ ＣＯＲＥＳＥＴの時間領域位置は、関連するＳＳ Ｂｌｏｃｋの時間領域位置の後ろに配置され、各ＲＭＳＩ ＣＯＲＥＳＥＴについて：
ｍｏｄ（ＳＳＢ Ｉｎｄｅｘ,４）= ｎが満たされると、当該ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ｎは０以上の事前に設定された数である。
【０１０６】
ケース２：図７（ｃ）に示すように、｛２４０、６０｝。
図７（ｃ）の上の点線によって示されるように、偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の直前に配置される。奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の直後に配置される。ここで、各ＲＭＳＩ ＣＯＲＥＳＥＴについて：
ｍｏｄ（ＳＳＢ Ｉｎｄｅｘ,４）=ｎ={０,１}が満たされると、当該ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされる。
【０１０７】
ｍｏｄ（ＳＳＢ Ｉｎｄｅｘ,４）=ｎ={２,３}が満たされると、当該ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされる。
【０１０８】
図７（ｃ）の下の実線によって示されるように、ＲＭＳＩ ＣＯＲＥＳＥＴの時間領域位置は、関連するＳＳ Ｂｌｏｃｋの時間領域位置の前に配置され、各ＲＭＳＩ ＣＯＲＥＳＥＴについて：
ｍｏｄ（ＳＳＢ Ｉｎｄｅｘ,４）= ｎ={０,１}が満たされると、当該ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、当該ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされる。
【０１０９】
図７（ｃ）の下の点線によって示されるように、ＲＭＳＩ ＣＯＲＥＳＥＴの時間領域位置は、関連するＳＳ Ｂｌｏｃｋの時間領域位置の後ろに配置され、各ＲＭＳＩ ＣＯＲＥＳＥＴについて：
ｍｏｄ（ＳＳＢ Ｉｎｄｅｘ,４）= ｎ={０,１}が満たされると、当該ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされる。
【０１１０】
ｍｏｄ（ＳＳＢ Ｉｎｄｅｘ,４）= ｎ={２,３}が満たされると、当該ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされる。
【０１１１】
すべての候補（Ｃａｎｄｉｄａｔｅ）ＳＳ Ｂｌｏｃｋが実際に送信される場合、ＳＳ ＢｌｏｃｋＳＣＳ = ２４０ｋＨｚの場合、ＲＭＳＩ ＣＯＲＥＳＥＴが１２０ｋＨｚの場合、ＲＭＳＩ ＣＯＲＥＳＥＴは１つの時間領域シンボルしか占有できない。ＲＭＳＩ ＣＯＲＥＳＥＴが６０ｋＨｚの場合、各ＲＭＳＩ ＣＯＲＥＳＥＴは１つの時間領域シンボルのみを共有および占有できる。したがって、ＲＭＳＩ ＣＯＲＥＳＥＴによって占有される可能性のある時間領域シンボルを増やし、ＲＮＳＩ ＣＯＲＥＳＥＴの送信パフォーマンスを向上させるために、実際には８つのＳＳ Ｂｌｏｃｋのうち７つだけが送信され、残りの１つのＳＳの位置は図８に示すように、ブロックはＲＭＳＩ ＣＯＲＥＳＥＴを送信する。
【０１１２】
図８（ｂ）に示されるように、ケース１：｛２４０、１２０｝。
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、各ＲＭＳＩ ＣＯＲＥＳＥＴによって占有される時間領域シンボルの数は、Ｂ={１,２}時間領域シンボルである。ここで、各ＲＭＳＩ ＣＯＲＥＳＥＴについて：
ＳＳ Ｂｌｏｃｋインデックスがｍｏｄ（ＳＳＢ Ｉｎｄｅｘ,８）={０,１}を満たす場合、当該ＳＳ Ｂｌｏｃｋに関連するＲＭＳＩ ＣＯＲＥＳＥＴの時間領域位置は、このＳＳ Ｂｌｏｃｋの時間領域位置に先行し、かつ、このＲＭＳＩ ＣＯＲＥＳＥＴの時間領域ン位置は、関連するＳＳ Ｂｌｏｃｋの時間領域ン位置から-（（２-ｎ）* Ｂ + ２ * ｎ）１２０ｋＨｚの時間領域ンシンボルだけオフセットされる。
【０１１３】
ＳＳ Ｂｌｏｃｋインデックスが ｍｏｄ（ＳＳＢ Ｉｎｄｅｘ,８）={２,３}を満たす場合、当該ＳＳ Ｂｌｏｃｋに関連するＲＭＳＩ ＣＯＲＥＳＥＴの時間領域位置は、このＳＳ Ｂｌｏｃｋの時間領域位置の後ろに配置され、かつ、当該ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされる。
【０１１４】
ＳＳ Ｂｌｏｃｋインデックスがｍｏｄ（ＳＳＢ Ｉｎｄｅｘ,８）={４,５,６}を満たす場合、当該ＳＳ Ｂｌｏｃｋに関連するＲＭＳＩ ＣＯＲＥＳＥＴの時間領域位置は、このＳＳ Ｂｌｏｃｋの時間領域位置の後ろに配置され、かつ、当該ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされる。
【０１１５】
ケース２：図８（ｃ）に示すように、｛２４０、６０｝。ここで、図の丸で囲んだ部分は以下のように説明される：８つのＳＳ Ｂｌｏｃｋごとに１つのＳＳ Ｂｌｏｃｋが送信されず、図において、丸で囲まれた位置部分は、ＲＭＳＩ ＣＯＲＥＳＥＴを送信するために使用できる。つまり、この円で示された時間領域の位置は、ＲＭＳＩ ＣＯＲＥＳＥＴに対して構成される。これにより、このシナリオでは、ＲＭＳＩ ＣＯＲＥＳＥＴが最大２つの連続する時間領域シンボルを占有する可能性がある。
【０１１６】
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、各ＲＭＳＩ ＣＯＲＥＳＥＴによって占有される時間領域シンボルの数は、Ｂ={１}時間領域シンボルである。ここで、各ＲＭＳＩ ＣＯＲＥＳＥＴについて：
ＳＳ Ｂｌｏｃｋインデックスがｍｏｄ（ＳＳＢ Ｉｎｄｅｘ,８）={０,１}を満たす場合、当該ＳＳ Ｂｌｏｃｋに関連するＲＭＳＩ ＣＯＲＥＳＥＴの時間領域位置は、このＳＳ Ｂｌｏｃｋの時間領域位置に先行し、かつ当該ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされる。
【０１１７】
ＳＳ Ｂｌｏｃｋインデックスが ｍｏｄ（ＳＳＢ Ｉｎｄｅｘ,８）={２,３}を満たす場合、当該ＳＳ Ｂｌｏｃｋに関連するＲＭＳＩ ＣＯＲＥＳＥＴの時間領域位置は、このＳＳ Ｂｌｏｃｋの時間領域位置の後ろに配置され、かつ当該ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされる。
【０１１８】
ＳＳ Ｂｌｏｃｋインデックスがｍｏｄ（ＳＳＢ Ｉｎｄｅｘ,８）={４,５,６}を満たす場合、当該ＳＳ Ｂｌｏｃｋに関連するＲＭＳＩ ＣＯＲＥＳＥＴの時間領域位置は、このＳＳ Ｂｌｏｃｋの時間領域位置の後ろに配置され、かつ当該ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされる。
【０１１９】
本発明の実施形態で説明される各ＲＭＳＩ ＣＯＲＥＳＥＴは、例えば、各インデックス、例えば、ＣＳ０またはＣＳ１に対応するＲＭＳＩ ＣＯＲＥＳＥＴを指すことに留意する必要がある。同様に、本出願の実施形態で説明される各ＳＳ Ｂｌｏｃｋは、例えば、ＳＳＢ０またはＳＳＢ１などの各インデックスに対応するＳＳ Ｂｌｏｃｋを指す。
【０１２０】
要約すると、図９を参照すると、本出願の実施形態によって提供されるリソース構成方法は、以下をのステップを備える。
【０１２１】
Ｓ１０１：残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定する。
【０１２２】
Ｓ１０２：前記ＲＭＳＩ ＣＯＲＥＳＥＴおよび関連するＳＳ Ｂｌｏｃｋ的構成パラメータを決定し、各ＳＳ Ｂｌｏｃｋバースト集合内のすべてのＳＳ Ｂｌｏｃｋに関連する残りの最小システム情報制御リソース集合の構成パラメータは、同じである。
【０１２３】
本発明の実施形態によって提供される方法は、ネットワーク側で実行されてもよく、または端末側で実行されてもよく、特定の実行主体は限定されないことに留意されたい。
【０１２４】
当該方法では、残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定する；前記ＲＭＳＩ ＣＯＲＥＳＥＴおよび関連するＳＳ Ｂｌｏｃｋ的構成パラメータを決定し、各ＳＳ Ｂｌｏｃｋバースト集合内のすべてのＳＳ Ｂｌｏｃｋに関連する残りの最小システム情報制御リソース集合の構成パラメータは、同じである。それにより、残りの最小システム情報制御リソース集合および関連する同期情報ブロックが時分割多重モードを使用するとき、残りの最小システム情報制御リソース集合の構成がより柔軟になり、より多くのアプリケーションシナリオに適用できる。
【０１２５】
任意選択で、前記ＲＭＳＩ ＣＯＲＥＳＥＴの構成パラメータは、以下のパラメータの１つまたは組み合わせを含む：
◎ＲＭＳＩ ＣＯＲＥＳＥＴによって占有される帯域幅
◎前記ＲＭＳＩ ＣＯＲＥＳＥＴの時間領域位置
◎前記ＲＭＳＩ ＣＯＲＥＳＥＴの周波数領域位置
◎ＲＭＳＩ ＣＯＲＥＳＥＴによって占有された連連続または不連続の時間領域シンボルの数。
【０１２６】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴおよび関連するＳＳ Ｂｌｏｃｋの周波数領域位置は、次の関係のいずれかを満たす：
◎前記構成されたＲＭＳＩ ＣＯＲＥＳＥＴおよび関連するＳＳ Ｂｌｏｃｋは、中心周波数領域位置を共有する。
◎前記構成されたＲＭＳＩ ＣＯＲＥＳＥＴ全体の周波数領域位置は、関連するＳＳ Ｂｌｏｃｋの周波数領域位置の下にある。
◎前記構成されたＲＭＳＩ ＣＯＲＥＳＥＴ全体の周波数領域位置は、関連するＳＳ Ｂｌｏｃｋの周波数領域位置の上にある。
【０１２７】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴの周波数領域位置は、関連するＳＳ Ｂｌｏｃｋの周波数領域位置に関する相対オフセット値である。
【０１２８】
任意選択で、関連するＳＳ Ｂｌｏｃｋの周波数領域位置に対する前記ＲＭＳＩ ＣＯＲＥＳＥＴの周波数領域位置の相対オフセット値は所定値である。
【０１２９】
任意選択で、関連するＳＳ Ｂｌｏｃｋの周波数領域位置に対する前記ＲＭＳＩ ＣＯＲＥＳＥＴの周波数領域位置の相対オフセット値は、異なる周波数帯域または周波数範囲における異なる値である。
【０１３０】
任意選択で、関連するＳＳ Ｂｌｏｃｋの周波数領域位置に対する前記ＲＭＳＩ ＣＯＲＥＳＥＴの周波数領域位置の相対オフセット値がｃで表され、ｃの値が次のとおりであり、それぞれ次の異なる情報を示すために使用される：
ｃ  ＝ ０の場合、ＲＭＳＩ ＣＯＲＥＳＥＴと関連するＳＳ Ｂｌｏｃｋの中心周波数が揃っていることを示し、
ｃ  ＝ １の場合、ＲＭＳＩ ＣＯＲＥＳＥＴと関連するＳＳ Ｂｌｏｃｋの周波数領域の開始位置が揃っていることを示し、
ｃ  ＝ ２の場合、ＲＭＳＩ ＣＯＲＥＳＥＴと関連するＳＳ Ｂｌｏｃｋの周波数領域の終了位置が揃っていることを示し、
ｃ  ＝ ３の場合、ＲＭＳＩ ＣＯＲＥＳＥＴの周波数領域の終了位置と端末の最小キャリア帯域幅の終了位置が揃っているが、関連するＳＳ Ｂｌｏｃｋの周波数領域の開始位置と端末の最小キャリア帯域幅の開始位置が揃っていることを示し、
ｃ  ＝ ４の場合、ＲＭＳＩ ＣＯＲＥＳＥＴの周波数領域の開始位置と端末の最小キャリア帯域幅の開始位置が揃っているが、関連するＳＳ Ｂｌｏｃｋの周波数領域の終了位置と端末の最小キャリア帯域幅の終了位置が揃っていることを示し、
ここで、前記端末の最小キャリア帯域幅は事前に設定される。
【０１３１】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，１５}ｋＨｚであれば、前記ＲＭＳＩ ＣＯＲＥＳＥＴの時間領域位置は、次の構成のいずれかを採用し：
構成１： ＲＭＳＩ ＣＯＲＥＳＥＴの時間領域位置は、関連するＳＳ Ｂｌｏｃｋの時間領域位置に先行し、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、
構成２： ＲＭＳＩ ＣＯＲＥＳＥＴの時間領域位置は、関連するＳＳ Ｂｌｏｃｋの時間領域位置の後ろにあり、
ＲＭＳＩ ＣＯＲＥＳＥＴは、１つの時間領域シンボルを占有し、かつ、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、ＲＭＳＩ ＣＯＲＥＳＥＴの時間領域位置相は、関連するＳＳ Ｂｌｏｃｋの時間領域位置から＋１だけオフセットされ、;または、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、
構成４：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から−１だけオフセットされ、
ここで、ＳＳＢはＳＳ Ｂｌｏｃｋであり、Ｉｎｄｅｘはインデックスである。
【０１３２】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，３０}ｋＨｚであれｒば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、
構成２：ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数である。
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{３０, ３０}または{１２０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
構成２：ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−Ｂだけオフセットされ、ここで、ＳＳＢは、ＳＳ Ｂｌｏｃｋであり、
構成３：ｍｏｄ（ＳＳＢＩｎｄｅｘ,４）={１,３}が満たされると、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であり、Ｉｎｄｅｘはインデックスである。
【０１３３】
任意選択で、前記ＲＭＳＩ ＣＯＲＥＳＥＴの構成パラメータが前記ＲＭＳＩ ＣＯＲＥＳＥＴの時間領域位置を含む場合あり、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−１だけオフセットされ、ここで、ＳＳＢは、ＳＳ Ｂｌｏｃｋであり、
ｍｏｄ（ＳＳＢ Ｉｎｄｅｘ,４）={１,３}が満たされると、ＲＭＳＩ ＣＯＲＥＳＥＴの時間領域位置相は、関連するＳＳ Ｂｌｏｃｋの時間領域位置から＋１だけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−２だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から−５だけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から＋５だけオフセットされ、
ここで、Ｉｎｄｅｘはインデックスである。
【０１３４】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,１}が満たされると、ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされ、
ｍｏｄ（ＳＳＢ Ｉｎｄｅｘ,４）={２,３}が満たされると、ＲＭＳＩ ＣＯＲＥＳＥＴの時間領域位置は、関連するＳＳ Ｂｌｏｃｋの時間領域位置から＋４または＋３つの１２０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされ、
構成３： ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ＳＳＢはＳＳ Ｂｌｏｃｋであり、Ｉｎｄｅｘはインデックスである。
【０１３５】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）=ｎ={０,１}が満たされると、ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされ、
ｍｏｄ（ＳＳＢ Ｉｎｄｅｘ,４）=ｎ={２,３}が満たされると、ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされ、
ここで、ＳＳＢはＳＳ Ｂｌｏｃｋであり、Ｉｎｄｅｘはインデックスである。
【０１３６】
任意選択で、前記ＲＭＳＩ ＣＯＲＥＳＥＴおよび関連するＳＳ Ｂｌｏｃｋ的構成パラメータを決定することは、同じまたは異なるＳＳ Ｂｌｏｃｋサブキャリア間隔（ＳＣＳ）およびＲＭＳＩ ＣＯＲＥＳＥＴ ＳＣＳの構成情况の場合、ＳＳ Ｂｌｏｃｋが実際に送信されないと、ＳＳ Ｂｌｏｃｋが実際に送信されない時間領域位置は、ＲＭＳＩ ＣＯＲＥＳＥＴに対して構成され、。
【０１３７】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}または{２４０,６０}ｋＨｚであれば、８つのＳＳブロックごとに１つのＳＳ Ｂｌｏｃｋ位置がＲＭＳＩ ＣＯＲＥＳＥＴの時間領域位置である。
【０１３８】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成を採用し：
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、ＲＭＳＩ ＣＯＲＥＳＥＴによって占有される時間領域シンボルの数は、Ｂ={１,２}個の時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域だけオフセットされ
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされ、
ここで、ＳＳＢはＳＳ Ｂｌｏｃｋであり、Ｉｎｄｅｘはインデックスであり、ｎは所定値である。
【０１３９】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成を採用し：
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、ＲＭＳＩ ＣＯＲＥＳＥＴによって占有される時間領域シンボルの数は、Ｂ={１}時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされ、
ここで、ＳＳＢはＳＳ Ｂｌｏｃｋであり、Ｉｎｄｅｘはインデックスである。
【０１４０】
任意選択で、前記ＲＭＳＩ ＣＯＲＥＳＥＴの構成パラメータは、前記ＲＭＳＩ ＣＯＲＥＳＥＴによって占有される物理リソースブロック（ＰＲＢ）の総数を含み、前記ＰＲＢの数は離散的な候補集合のリストである。
【０１４１】
任意選択で、前記離散的な候補集合は{４８,７２,９６}である。
任意選択で、前記ＲＭＳＩ ＣＯＲＥＳＥＴの構成パラメータが、ＲＭＳＩ ＣＯＲＥＳＥＴによって占有される帯域幅とＲＭＳＩ ＣＯＲＥＳＥＴによって占有される連続時間領域シンボルの数の組み合わせを含む場合、前記組み合わせは具体的には次のいずれかである：
◎{４８ ＰＲＢｓ, １つの時間領域シンボル}
◎{７２ ＰＲＢｓ, １つの時間領域シンボル}
◎{９６ ＰＲＢｓ, １つの時間領域シンボル}
◎{２４ＰＲＢｓ, ２つの連続時間領域シンボル}
◎{３６ＰＲＢｓ, ２つの連続時間領域シンボル}
◎{４８ＰＲＢｓ, ２つの連続時間領域シンボル}
◎{１６ＰＲＢｓ, ３つの連続時間領域シンボル}
◎{２４ＰＲＢｓ, ３つの連続時間領域シンボル}
◎{３２ＰＲＢｓ, ３つの連続時間領域シンボル}
◎{１２ＰＲＢｓ, ４つの連続時間領域シンボル}
◎{１８ＰＲＢｓ, ４つの連続時間領域シンボル}
◎{２４ＰＲＢｓ, ４つの連続時間領域シンボル}
前記ＰＲＢｓは、複数の物理リソースブロックを表す。
【０１４２】
対応して、図１０を参照すると、本発明の実施形態によって提供されるリソース構成装置は、
プログラム命令を格納するように構成されたメモリ５２０と、
プロセッサ５００の制御下でデータを送受信するように構成された送受信機５１０とを備える。
【０１４３】
前記プロセッサ５００は、残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定する。
【０１４４】
前記ＲＭＳＩ ＣＯＲＥＳＥＴおよび関連するＳＳ Ｂｌｏｃｋ的構成パラメータを決定し、各ＳＳ Ｂｌｏｃｋバースト集合内のすべてのＳＳ Ｂｌｏｃｋに関連する残りの最小システム情報制御リソース集合の構成パラメータは、同じである。
【０１４５】
任意選択で、前記ＲＭＳＩ ＣＯＲＥＳＥＴの構成パラメータは、以下のパラメータの１つまたは組み合わせを含む：
◎ＲＭＳＩ ＣＯＲＥＳＥＴによって占有される帯域幅
◎前記ＲＭＳＩ ＣＯＲＥＳＥＴの時間領域位置
◎前記ＲＭＳＩ ＣＯＲＥＳＥＴの周波数領域位置
ＲＭＳＩ ＣＯＲＥＳＥＴによって占有された連連続または不連続の時間領域シンボルの数。
【０１４６】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴおよび関連するＳＳ Ｂｌｏｃｋの周波数領域位置は、次の関係のいずれかを満たす：
前記構成されたＲＭＳＩ ＣＯＲＥＳＥＴおよび関連するＳＳ Ｂｌｏｃｋは、中心周波数領域位置を共有し、
前記構成されたＲＭＳＩ ＣＯＲＥＳＥＴ全体の周波数領域位置は、関連するＳＳ Ｂｌｏｃｋの周波数領域位置の下にあり、
前記構成されたＲＭＳＩ ＣＯＲＥＳＥＴ全体の周波数領域位置は、関連するＳＳ Ｂｌｏｃｋの周波数領域位置の上にある。
【０１４７】
任意選択で、前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴの周波数領域位置は、関連するＳＳ Ｂｌｏｃｋの周波数領域位置に関する相対オフセット値である。
【０１４８】
任意選択で関連するＳＳ Ｂｌｏｃｋの周波数領域位置に対するＲＭＳＩ ＣＯＲＥＳＥＴの周波数領域位置の相対オフセット値は所定値である。
【０１４９】
任意選択で関連するＳＳ Ｂｌｏｃｋの周波数領域位置に対するＲＭＳＩ ＣＯＲＥＳＥＴの周波数領域位置の相対オフセット値は、異なる周波数帯域または周波数範囲における異なる値である。
【０１５０】
任意選択で関連するＳＳ Ｂｌｏｃｋの周波数領域位置に対するＲＭＳＩ ＣＯＲＥＳＥＴの周波数領域位置の相対オフセット値がｃで表され、ｃの値が次のとおりであり、それぞれ次の異なる情報を示すために使用される：
ｃ  ＝ ０の場合、ＲＭＳＩ ＣＯＲＥＳＥＴと関連するＳＳ Ｂｌｏｃｋの中心周波数が揃っていることを示し、
ｃ  ＝ １の場合、ＲＭＳＩ ＣＯＲＥＳＥＴと関連するＳＳ Ｂｌｏｃｋの周波数領域の開始位置が揃っていることを示し、
ｃ  ＝ ２の場合、ＲＭＳＩ ＣＯＲＥＳＥＴと関連するＳＳ Ｂｌｏｃｋの周波数領域の終了位置が揃っていることを示し、
ｃ  ＝ ３の場合、ＲＭＳＩ ＣＯＲＥＳＥＴの周波数領域の終了位置と端末の最小キャリア帯域幅の終了位置が揃っているが、関連するＳＳ Ｂｌｏｃｋの周波数領域の開始位置と端末の最小キャリア帯域幅の開始位置が揃っていることを示し、
ｃ  ＝ ４の場合、ＲＭＳＩ ＣＯＲＥＳＥＴの周波数領域の開始位置と端末の最小キャリア帯域幅の開始位置が揃っているが、関連するＳＳ Ｂｌｏｃｋの周波数領域の終了位置と端末の最小キャリア帯域幅の終了位置が揃っていることを示し、
ここで、前記端末の最小キャリア帯域幅は事前に設定される。
【０１５１】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，１５}ｋＨｚであれば、前記ＲＭＳＩ ＣＯＲＥＳＥＴの時間領域位置は、次の構成のいずれかを採用し：
構成１： ＲＭＳＩ ＣＯＲＥＳＥＴの時間領域位置は、関連するＳＳ Ｂｌｏｃｋの時間領域位置に先行し、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、
構成２： ＲＭＳＩ ＣＯＲＥＳＥＴの時間領域位置は、関連するＳＳ Ｂｌｏｃｋの時間領域位置の後ろにあり、
ＲＭＳＩ ＣＯＲＥＳＥＴは、１つの時間領域シンボルを占有し、かつ、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、ＲＭＳＩ ＣＯＲＥＳＥＴの時間領域位置相は、関連するＳＳ Ｂｌｏｃｋの時間領域位置から＋１だけオフセットされ、;または、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、
構成４：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から−１だけオフセットされ、
ここで、ＳＳＢはＳＳ Ｂｌｏｃｋであり、Ｉｎｄｅｘはインデックスである。
【０１５２】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，３０}ｋＨｚであれｒば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、
構成２：ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数である。
【０１５３】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{３０, ３０}または{１２０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
構成２：ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−Ｂだけオフセットされ、ここで、ＳＳＢは、ＳＳ Ｂｌｏｃｋであり、
構成３：ｍｏｄ（ＳＳＢＩｎｄｅｘ,４）={１,３}が満たされると、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であり、Ｉｎｄｅｘはインデックスである。
【０１５４】
任意選択で、前記ＲＭＳＩ ＣＯＲＥＳＥＴの構成パラメータが前記ＲＭＳＩ ＣＯＲＥＳＥＴの時間領域位置を含む場合あり、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−１だけオフセットされ、ここで、ＳＳＢは、ＳＳ Ｂｌｏｃｋであり、
ｍｏｄ（ＳＳＢ Ｉｎｄｅｘ,４）={１,３}が満たされると、ＲＭＳＩ ＣＯＲＥＳＥＴの時間領域位置相は、関連するＳＳ Ｂｌｏｃｋの時間領域位置から＋１だけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−２だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から−５だけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から＋５だけオフセットされ、
ここで、Ｉｎｄｅｘはインデックスである。
【０１５５】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,１}が満たされると、ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされ、
ｍｏｄ（ＳＳＢ Ｉｎｄｅｘ,４）={２,３}が満たされると、ＲＭＳＩ ＣＯＲＥＳＥＴの時間領域位置は、関連するＳＳ Ｂｌｏｃｋの時間領域位置から＋４または＋３つの１２０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされ、
構成３： ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ＳＳＢはＳＳ Ｂｌｏｃｋであり、Ｉｎｄｅｘはインデックスである。
【０１５６】
任意選択で、前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）=ｎ={０,１}が満たされると、ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされ、
ｍｏｄ（ＳＳＢ Ｉｎｄｅｘ,４）=ｎ={２,３}が満たされると、ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされ、
ここで、ＳＳＢはＳＳ Ｂｌｏｃｋであり、Ｉｎｄｅｘはインデックスである。
【０１５７】
任意選択で、前記ＲＭＳＩ ＣＯＲＥＳＥＴおよび関連するＳＳ Ｂｌｏｃｋ的構成パラメータを決定することは、同じまたは異なるＳＳ Ｂｌｏｃｋサブキャリア間隔（ＳＣＳ）およびＲＭＳＩ ＣＯＲＥＳＥＴ ＳＣＳの構成情况の場合、ＳＳ Ｂｌｏｃｋが実際に送信されないと、ＳＳ Ｂｌｏｃｋが実際に送信されない時間領域位置は、ＲＭＳＩ ＣＯＲＥＳＥＴに対して構成され、。
【０１５８】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}または{２４０,６０}ｋＨｚであれば、８つのＳＳブロックごとに１つのＳＳ Ｂｌｏｃｋ位置がＲＭＳＩ ＣＯＲＥＳＥＴの時間領域位置である。
【０１５９】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成を採用し：
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、ＲＭＳＩ ＣＯＲＥＳＥＴによって占有される時間領域シンボルの数は、Ｂ={１,２}個の時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域だけオフセットされ
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされ、
ここで、ＳＳＢはＳＳ Ｂｌｏｃｋであり、Ｉｎｄｅｘはインデックスであり、ｎは所定値である。
【０１６０】
任意選択で、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成を採用し：
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、ＲＭＳＩ ＣＯＲＥＳＥＴによって占有される時間領域シンボルの数は、Ｂ={１}時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされ、
ここで、ＳＳＢはＳＳ Ｂｌｏｃｋであり、Ｉｎｄｅｘはインデックスである。
【０１６１】
任意選択で、前記ＲＭＳＩ ＣＯＲＥＳＥＴの構成パラメータは、前記ＲＭＳＩ ＣＯＲＥＳＥＴによって占有される物理リソースブロック（ＰＲＢ）の総数を含み、前記ＰＲＢの数は離散的な候補集合のリストである。
【０１６２】
任意選択で、前記離散的な候補集合は{４８,７２,９６}である。
【０１６３】
任意選択で、前記ＲＭＳＩ ＣＯＲＥＳＥＴの構成パラメータが、ＲＭＳＩ ＣＯＲＥＳＥＴによって占有される帯域幅とＲＭＳＩ ＣＯＲＥＳＥＴによって占有される連続時間領域シンボルの数の組み合わせを含む場合、前記組み合わせは具体的には次のいずれかである：
◎{４８ ＰＲＢｓ, １つの時間領域シンボル}
◎{７２ ＰＲＢｓ, １つの時間領域シンボル}
◎{９６ ＰＲＢｓ, １つの時間領域シンボル}
◎{２４ＰＲＢｓ, ２つの連続時間領域シンボル}
◎{３６ＰＲＢｓ, ２つの連続時間領域シンボル}
◎{４８ＰＲＢｓ, ２つの連続時間領域シンボル}
◎{１６ＰＲＢｓ, ３つの連続時間領域シンボル}
◎{２４ＰＲＢｓ, ３つの連続時間領域シンボル}
◎{３２ＰＲＢｓ, ３つの連続時間領域シンボル}
◎{１２ＰＲＢｓ, ４つの連続時間領域シンボル}
◎{１８ＰＲＢｓ, ４つの連続時間領域シンボル}
◎{２４ＰＲＢｓ, ４つの連続時間領域シンボル}
前記ＰＲＢｓは、複数の物理リソースブロックを表す。
【０１６４】
ここで、図１０において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バズアーキテクチャ及び通常の処理を管理し、メモリ５２０は、プロセッサ５００が動作する際に利用するデータを記憶することができる。
【０１６５】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることが出きる。
【０１６６】
なお、図１０に示す装置は、ネットワーク側の装置であってもよいし、端末側の装置であってもよい。実際の要求に応じて、図１０に示されていない他の装置をさらに追加および設定することができ、その詳細はここでは説明されない。
【０１６７】
図１１を参照すると、本出願の実施形態によって提供される別のリソース構成装置は、
残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するように構成された第１のユニット１１と、
前記ＲＭＳＩ ＣＯＲＥＳＥＴおよび関連するＳＳ Ｂｌｏｃｋ的構成パラメータを決定するように構成された第２のユニット１２とを備える。
【０１６８】
ここで、各ＳＳ Ｂｌｏｃｋバースト集合内の各ＳＳ Ｂｌｏｃｋに関連する残りの最小システム情報制御リソース集合の構成パラメータは、同じである。
【０１６９】
第１のユニットは、メモリであり得、第２のユニットは、プロセッサであり得る。すなわち、本出願の実施形態によって提供される装置は、図１０に示される構造に限定されず、送受信機およびバスインターフェースなどのコンポーネントを含まなくてもよい。
【０１７０】
本願の実施形態は、上述のコンピューティング装置によって使用されるコンピュータプログラム命令を格納するように構成されたコンピュータ記憶媒体を提供し、コンピュータプログラム命令は、上述のリソース構成方法を実行するためのプログラムを含む。
【０１７１】
前記コンピュータ記憶媒体は、コンピュータにアクセス可能な任意の利用可能な媒体またはデータ記憶装置であり得る。磁気メモリ（例えば、フロッピーディスク、ハードディスク、磁気テープ、光磁気ディスク（ＭＯ）など）、光学メモリ（例えば、ＣＤ、ＤＶＤ、ＢＤ、ＨＶＤ等）、半導体メモリ（例えば、ＲＯＭ、ＥＰＲＯＭ、ＥＥＰＲＯＭ、不揮発性メモリ（ＮＡＮＤ ＦＬＡＳＨ（登録商標））、ソリッドステートディスク（ＳＳＤ））等を含むがこれらに限定されない。
【０１７２】
本願の実施形態によって提供される方法は、端末装置に適用することができ、ネットワーク装置にも適用することができる。
【０１７３】
ここで、端末装置は、ユーザ機器（Ｕｓｅｒ Ｅｑｕｉｐｍｅｎｔ，略して「ＵＥ」）、移動局（Ｍｏｂｉｌｅ Ｓｔａｔｉｏｎ，略して「ＭＳ」）、移動体端末（Ｍｏｂｉｌｅ Ｔｅｒｍｉｎａｌ，略して「ＭＴ」）などと呼ぶこともできる。オプションとして、端末は、無線アクセスネットワーク（ｒａｄｉｏ Ａｃｃｅｓｓ Ｎｅｔｗｏｒｋ， ＲＡＮ）を介して１つ以上のコアネットワークと通信する機能を持つことができる。例えば、端末は、携帯電話（または「セルラー」電話と呼ばれる）、または携帯機能を備えたコンピュータとすることができる。例えば、端末は、携帯型、ポケット型、ハンドヘルド型、コンピュータ組み込み型、または車両搭載型モバイル装置であってもよい。
【０１７４】
ネットワーク装置は、基地局（例えば、アクセスポイント）であり得、これは、エアインターフェース上の１つ以上のセクターを介して無線端末と通信するアクセスネットワーク内の装置を意味する。基地局は、受信されたエアフレームとＩＰパケット間の相互変換を実行するために使用され、無線端末と残りのアクセスネットワーク間のルーターとして使用される。基地局はさらに、エアインターフェースの属性管理を調整することができる。例えば、基地局は、ＧＳＭまたはＣＤＭＡにおける基地トランシーバ局（ＢＴＳ）であり得るか、またはＷＣＤＭＡ（登録商標）におけるノードＢであり得るか、またはＬＴＥにおける進化型ノードＢ（ノードＢまたはｅＮＢまたはｅノードＢ）であり得る。これは、本発明の実施形態では限定されない。
【０１７５】
要約すると、ＴＤＭモードで、本願の実施形態では、ＲＭＳＩ ＣＯＲＥＳＥＴ構成情報のビットに対する制限を考慮して、ＲＭＳＩ ＣＯＲＥＳＥＴは、可能な限りより柔軟に構成される。
【０１７６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ−ＲＯＭ、光学記憶装置等を含むがそれとは限らない）において実施する。
【０１７７】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。  
【０１７８】
これらのコンピュータプログラム命令は、又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１７９】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。  
【０１８０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１８１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【符号の説明】
【０１８２】
５００  プロセッサ
５１０  送受信機
５２０  メモリ
【図１】
2021503234.tif 000003
【図２】
2021503234.tif 000004
【図３】
2021503234.tif 000005
【図４】
2021503234.tif 000006
【図５】
2021503234.tif 000007
【図６】
2021503234.tif 000008
【図７】
2021503234.tif 000009
【図８】
2021503234.tif 000010
【図９】
2021503234.tif 000011
【図１０】
2021503234.tif 000012
【図１１】
2021503234.tif 000013
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するステップと、
前記ＲＭＳＩ ＣＯＲＥＳＥＴおよび関連するＳＳ Ｂｌｏｃｋ的構成パラメータを決定するステップとを備え、
各ＳＳ Ｂｌｏｃｋバースト集合内のすべてのＳＳ Ｂｌｏｃｋに関連する残りの最小システム情報制御リソース集合の構成パラメータは、同じであることを特徴とするリソース構成方法。
【請求項２】
前記ＲＭＳＩ ＣＯＲＥＳＥＴの構成パラメータは、
前記ＲＭＳＩ ＣＯＲＥＳＥＴによって占有される帯域幅と、
前記ＲＭＳＩ ＣＯＲＥＳＥＴの時間領域位置と、
前記ＲＭＳＩ ＣＯＲＥＳＥＴの周波数領域位置と、
前記ＲＭＳＩ ＣＯＲＥＳＥＴによって占有された連連続または不連続の時間領域シンボルの数とのうちの１つまたは組み合わせを含むことを特徴とする請求項１に記載のリソース構成方法。
【請求項３】
前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴおよび関連するＳＳ Ｂｌｏｃｋの周波数領域位置は、次の関係のいずれかを満たす：
前記構成されたＲＭＳＩ ＣＯＲＥＳＥＴおよび関連するＳＳ Ｂｌｏｃｋは、中心周波数領域位置を共有し、
前記構成されたＲＭＳＩ ＣＯＲＥＳＥＴ全体の周波数領域位置は、関連するＳＳ Ｂｌｏｃｋの周波数領域位置の下にあり、
前記構成されたＲＭＳＩ ＣＯＲＥＳＥＴ全体の周波数領域位置は、関連するＳＳ Ｂｌｏｃｋの周波数領域位置の上にあることを特徴とする請求項２に記載のリソース構成方法。
【請求項４】
前記ＲＭＳＩ ＣＯＲＥＳＥＴの構成パラメータが前記ＲＭＳＩ ＣＯＲＥＳＥＴの周波数領域位置を含む場合、前記ＲＭＳＩ ＣＯＲＥＳＥＴの周波数領域位置は、関連するＳＳ Ｂｌｏｃｋの周波数領域位置に関する相対オフセット値であることを特徴とする請求項２に記載のリソース構成方法。
【請求項５】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，１５}ｋＨｚであれば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から−２だけオフセットされ、
構成２：ＲＭＳＩ ＣＯＲＥＳＥＴの時間領域位置は、関連するＳＳ Ｂｌｏｃｋの時間領域位置の後ろにあり、
ＲＭＳＩ ＣＯＲＥＳＥＴは、１つの時間領域シンボルを占有し、かつ、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２っつの時間領域シンボルを占有し、かつ、ＲＭＳＩ ＣＯＲＥＳＥＴの時間領域位置は、関連するＳＳ Ｂｌｏｃｋの時間領域位置から＋２だけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−１だけオフセットされ、ｍｏｄ（ＳＳＢ Ｉｎｄｅｘ,２）={１}が満たされると、ＲＭＳＩ ＣＯＲＥＳＥＴの時間領域位置相は、関連するＳＳ Ｂｌｏｃｋの時間領域位置から＋１だけオフセットされ、または、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、または、
ＲＭＳＩ ＣＯＲＥＳＥＴは、２つの時間領域シンボルを占有し、ｍｏｄ（ＳＳＢ Ｉｎｄｅｘ,２）={０}が満たされると、ＲＭＳＩ ＣＯＲＥＳＥＴの時間領域位置は、関連するＳＳ Ｂｌｏｃｋの時間領域位置から−２だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から＋２だけオフセットされ、
構成４：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、かつ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、
ＲＭＳＩ ＣＯＲＥＳＥＴは、１つの時間領域シンボルを占有し、ｍｏｄ（ＳＳＢ Ｉｎｄｅｘ,２）={０}が満たされると、ＲＭＳＩ ＣＯＲＥＳＥＴの時間領域位置相は、関連するＳＳ Ｂｌｏｃｋの時間領域位置から＋１だけオフセットされ、ｍｏｄ（ＳＳＢ Ｉｎｄｅｘ,２）={１}が満たされると、ＲＭＳＩ ＣＯＲＥＳＥＴの時間領域位置は、関連するＳＳ Ｂｌｏｃｋの時間領域位置から−１だけオフセットされ、
ここで、ＳＳＢはＳＳ Ｂｌｏｃｋであることを特徴とする請求項２に記載のリソース構成方法。
【請求項６】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{１５，３０}ｋＨｚであれｒば、前記ＲＭＳＩ ＣＯＲＥＳＥＴの時間領域位置は、次の構成のいずれかを採用し：
構成１：ＲＭＳＩ ＣＯＲＥＳＥＴの時間領域位置は、関連するＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、
構成２：ＲＭＳＩ ＣＯＲＥＳＥＴの時間領域位置は、関連するＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
構成３：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、ＲＭＳＩ ＣＯＲＥＳＥＴの時間領域位置は、関連するＳＳ Ｂｌｏｃｋの時間領域位置から−Ｂだけオフセットされ、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であることを特徴とする請求項２に記載のリソース構成方法。
【請求項７】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{３０, ３０}または{１２０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
構成２：ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−Ｂだけオフセットされ、ここで、ＳＳＢは、ＳＳ Ｂｌｏｃｋであり、
構成３：ｍｏｄ（ＳＳＢＩｎｄｅｘ,４）={１,３}が満たされると、ＲＭＳＩ ＣＯＲＥＳＥＴの時間領域位置は、関連するＳＳ Ｂｌｏｃｋの時間領域位置から＋Ｂだけオフセットされ、
ここで、Ｂは、ＲＭＳＩ ＣＯＲＥＳＥＴによって占有される連続時間領域シンボルの所定数であり、Ｉｎｄｅｘはインデックスであることを特徴とする請求項２に記載のリソース構成方法。
【請求項８】
前記ＲＭＳＩ ＣＯＲＥＳＥＴの構成パラメータが前記ＲＭＳＩ ＣＯＲＥＳＥＴの時間領域位置を含む場合あり、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−１だけオフセットされ、ここで、ＳＳＢは、ＳＳ Ｂｌｏｃｋであり、
ｍｏｄ（ＳＳＢ Ｉｎｄｅｘ,４）={１,３}が満たされると、ＲＭＳＩ ＣＯＲＥＳＥＴの時間領域位置相は、関連するＳＳ Ｂｌｏｃｋの時間領域位置から＋１だけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置から−２だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から−５だけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）={０,２}が満たされると、ＲＭＳＩ ＣＯＲＥＳＥＴの時間領域位置は、関連するＳＳ Ｂｌｏｃｋの時間領域位置ｋら＋４だけオフセットされ、
ｍｏｄ（ＳＳＢ Ｉｎｄｅｘ,４）={１,３}が満たされると、ＲＭＳＩ ＣＯＲＥＳＥＴの時間領域位置は、関連するＳＳ Ｂｌｏｃｋの時間領域位置から＋５だけオフセットされることを特徴とする請求項２に記載のリソース構成方法。
【請求項９】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）={０,１}が満たされると、ＲＭＳＩ ＣＯＲＥＳＥＴの時間領域位置は、関連するＳＳ Ｂｌｏｃｋの時間領域位置から−２または−３つの１２０ｋＨｚ時間領域シンボルだけオフセットされ、
ｍｏｄ（ＳＳＢ Ｉｎｄｅｘ,４）={２,３}が満たされると、ＲＭＳＩ ＣＯＲＥＳＥＴの時間領域位置は、関連するＳＳ Ｂｌｏｃｋの時間領域位置から＋４または＋３つの１２０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から−（（４−ｎ） ＋ ２*ｎ）個の１２０ｋＨｚ時間領域シンボルだけオフセットされ、
構成３： ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎが満たされると、ＲＭＳＩ ＣＯＲＥＳＥＴの時間領域位置は、関連するＳＳ Ｂｌｏｃｋの時間領域位置から＋（ ｎ ＋ ２*（４−ｎ））個の１２０ｋＨｚ時間領域シンボルだけオフセットされ、
ここで、ＳＳＢはＳＳ Ｂｌｏｃｋであることを特徴とする請求項２に記載のリソース構成方法。
【請求項１０】
前記ＲＭＳＩ ＣＯＲＥＳＥＴの構成パラメータが前記ＲＭＳＩ ＣＯＲＥＳＥＴの時間領域位置を含む場合、ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚであれば、前記ＲＭＳＩ ＣＯＲＥＳＥＴの時間領域位置は、次の構成のいずれかを採用し：
構成１：偶数のインデックスを持つＳＳ Ｂｌｏｃｋに関連するＲＭＳＩ ＣＯＲＥＳＥＴの時間領域位置は、このＳＳ Ｂｌｏｃｋの時間領域位置に先行し、奇数のインデックスを持つＳＳ Ｂｌｏｃｋに関連するＲＭＳＩ ＣＯＲＥＳＥＴの時間領域位置は、このＳＳ Ｂｌｏｃｋの時間領域位置の後ろにあり、
ｍｏｄ（ＳＳＢ Ｉｎｄｅｘ,４）=ｎ={０,１}が満たされると、ＲＭＳＩ ＣＯＲＥＳＥＴの時間領域は、関連するＳＳ Ｂｌｏｃｋの時間領域位置から−(ｎ＋１)個の６０ｋＨｚ時間領域シンボルだけオフセットされ、
ｍｏｄ（ＳＳＢ Ｉｎｄｅｘ,４）=ｎ={２,３}が満たされると、ＲＭＳＩ ＣＯＲＥＳＥＴの時間領域位置は、関連するＳＳ Ｂｌｏｃｋの時間領域位置から＋（４−ｎ）個の６０ｋＨｚ時間領域シンボルだけオフセットされ、
構成２：ＲＭＳＩ ＣＯＲＥＳＥＴの時間領域位置は、関連するＳＳ Ｂｌｏｃｋの時間領域位置に先行し、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から−（２＋ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から−（１＋ｎ）個の６０ｋＨｚ時間領域シンボルだけオフセットされ、
構成３：ＲＭＳＩ ＣＯＲＥＳＥＴの時間領域位置は、関連するＳＳ Ｂｌｏｃｋの時間領域位置の後ろにあり、
ｍｏｄ（ＳＳＢ Ｉｎｄｅｘ,４）= ｎ={０,１}が満たされると、ＲＭＳＩ ＣＯＲＥＳＥＴの時間領域位置は、関連するＳＳ Ｂｌｏｃｋの時間領域位置から（４−ｎ）個の６０ｋＨｚ時間領域シンボルだけオフセットされ、
ｍｏｄ（ＳＳＢ Ｉｎｄｅｘ,４）= ｎ={２,３}が満たされると、ＲＭＳＩ ＣＯＲＥＳＥＴの時間領域位置は、関連するＳＳ Ｂｌｏｃｋの時間領域位置から（５−ｎ）個の６０ｋＨｚ時間領域シンボルだけオフセットされ、
ここで、ＳＳＢはＳＳ Ｂｌｏｃｋであり、Ｉｎｄｅｘはインデックスであることを特徴とする請求項２に記載のリソース構成方法。
【請求項１１】
前記ＲＭＳＩ ＣＯＲＥＳＥＴおよび関連するＳＳ Ｂｌｏｃｋ的構成パラメータを決定することは、同じまたは異なるＳＳ Ｂｌｏｃｋサブキャリア間隔（ＳＣＳ）およびＲＭＳＩ ＣＯＲＥＳＥＴ ＳＣＳの構成情况の場合、ＳＳ Ｂｌｏｃｋが実際に送信されないと、ＳＳ Ｂｌｏｃｋが実際に送信されない時間領域位置は、ＲＭＳＩ ＣＯＲＥＳＥＴに対して構成されことを含むことを特徴とする請求項１に記載のリソース構成方法。
【請求項１２】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}または{２４０,６０}ｋＨｚであれば、８つのＳＳブロックごとに１つのＳＳ Ｂｌｏｃｋ位置がＲＭＳＩ ＣＯＲＥＳＥＴの時間領域位置であることを特徴とする請求項１１に記載のリソース構成方法。
【請求項１３】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,１２０}ｋＨｚであれば、前記ＲＭＳＩ ＣＯＲＥＳＥＴの時間領域位置は、次の構成を採用し：
インデックスはｍｏｄ（ＳＳＢ Ｉｎｄｅｘ,７）である候補ＳＳ Ｂｌｏｃｋ時間領域位置は、ＲＭＳＩ ＣＯＲＥＳＥＴに対して構成され、ＲＭＳＩ ＣＯＲＥＳＥＴによって占有される時間領域シンボルの数は、Ｂ={１,２}個の時間領域シンボルであり、
ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域だけオフセットされ
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（４−ｎ）＋（ｎ−２）*Ｂ）個の１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から（２*（７−ｎ）＋（ｎ−４）*Ｂ）個の１２０ｋＨｚ時間領域シンボルだけオフセットされ、
ここで、ＳＳＢはＳＳ Ｂｌｏｃｋであり、ｎは所定値であることを特徴とする請求項１２に記載のリソース構成方法。
【請求項１４】
ＳＳ Ｂｌｏｃｋサブキャリア間隔（ＳＣＳ）およびＲＭＳＩ ＣＯＲＥＳＥＴ ＳＣＳの組み合わせ{ＳＳ Ｂｌｏｃｋ ＳＣＳ, ＲＭＳＩ ＣＯＲＥＳＥＴ ＳＣＳ}が{２４０,６０}ｋＨｚである場合、前記ＲＭＳＩ ＣＯＲＥＳＥＴの時間領域位置は、次の構成を採用し：
インデックスがｍｏｄ（ＳＳＢ Ｉｎｄｅｘ,７）である候補ＳＳ Ｂｌｏｃｋの時間領域位置は、ＲＭＳＩ ＣＯＲＥＳＥＴに対して構成され、ＲＭＳＩ ＣＯＲＥＳＥＴによって占有される時間領域シンボルの数は、Ｂ={１}時間領域シンボルであり、ここで、
ＳＳ Ｂｌｏｃｋインデックスがｍｏｄ（ＳＳＢ Ｉｎｄｅｘ,８）={０,１}を満たす場合、関連するＲＭＳＩ ＣＯＲＥＳＥＴの時間領域位置は、このＳＳ Ｂｌｏｃｋの時間領域位置に先行し、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスが ｍｏｄ（ＳＳＢ Ｉｎｄｅｘ,８）={２,３}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、２つの１２０ｋＨｚ時間領域シンボルだけオフセットされ、
ＳＳ Ｂｌｏｃｋインデックスがｍｏｄ（ＳＳＢ Ｉｎｄｅｘ,８）={４,５,６}を満たす場合、関連するＲＭＳＩ ＣＯＲＥＳＥＴの時間領域位置は、このＳＳ Ｂｌｏｃｋの時間領域位置の後ろにあり、かつ、ＲＭＳＩ ＣＯＲＥＳＥＴの時間領域位置は、関連するＳＳ Ｂｌｏｃｋの時間領域位置から、３つの１２０ｋＨｚ時間領域シンボルだけオフセットされ、
ここで、ＳＳＢはＳＳ Ｂｌｏｃｋであることを特徴とする請求項１２に記載のリソース構成方法。
【請求項１５】
前記ＲＭＳＩ ＣＯＲＥＳＥＴの構成パラメータは、前記ＲＭＳＩ ＣＯＲＥＳＥＴによって占有される物理リソースブロック（ＰＲＢ）の総数を含み、前記ＰＲＢの数は離散的な候補集合のリストであることを特徴とする請求項１に記載のリソース構成方法。
【請求項１６】
前記ＲＭＳＩ ＣＯＲＥＳＥＴの構成パラメータが、ＲＭＳＩ ＣＯＲＥＳＥＴによって占有される帯域幅とＲＭＳＩ ＣＯＲＥＳＥＴによって占有される連続時間領域シンボルの数の組み合わせを含む場合、前記組み合わせは、
{４８ ＰＲＢｓ, １つの時間領域シンボル}と、
{７２ ＰＲＢｓ, １つの時間領域シンボル}と、
{９６ ＰＲＢｓ, １つの時間領域シンボル}と、
{２４ＰＲＢｓ, ２つの連続時間領域シンボル}と、
{３６ＰＲＢｓ, ２つの連続時間領域シンボル}と、
{４８ＰＲＢｓ, ２つの連続時間領域シンボル}と、
{１６ＰＲＢｓ, ３つの連続時間領域シンボル}と、
{２４ＰＲＢｓ, ３つの連続時間領域シンボル}と、
{３２ＰＲＢｓ, ３つの連続時間領域シンボル}と、
{１２ＰＲＢｓ, ４つの連続時間領域シンボル}と、
{１８ＰＲＢｓ, ４つの連続時間領域シンボル}と、
{２４ＰＲＢｓ, ４つの連続時間領域シンボル}とのうちのいずれかであり、
前記ＰＲＢｓは、複数の物理リソースブロックを表すことを特徴とする請求項２に記載のリソース構成方法。
【請求項１７】
残りの最小システム情報制御リソース集合ＲＭＳＩ ＣＯＲＥＳＥＴおよび関連する同期情報ブロックＳＳ Ｂｌｏｃｋが時分割多重モードで異なるシンボルを占有して送信することを決定するように構成された第１のユニットと、
前記ＲＭＳＩ ＣＯＲＥＳＥＴおよび関連するＳＳ Ｂｌｏｃｋ的構成パラメータを決定するように構成された第２のユニットとを備え、
各ＳＳ Ｂｌｏｃｋバースト集合内のすべてのＳＳ Ｂｌｏｃｋに関連する残りの最小システム情報制御リソース集合の構成パラメータは、同じであることを特徴とするリソース構成装置。
【国際調査報告】
2021503234.tif 000014
2021503234.tif 000015
2021503234.tif 000016
2021503234.tif 000017